(57)【要約】  複数画素が表示画面に２次元的に配列された表示装置は、上記複数画素の１画素が、複数色の組み合わせにより所望の色を表示するように、当該複数色に対応したサブ画素Ｒ，Ｇ，Ｂ，Ｗの少なくとも２行２列の配列によって構成されている。上記サブ画素が行方向に配列された水平ラインを走査するときに、上記サブ画素のうち、駆動したい同一色のサブ画素を特定色サブ画素（例えばＷ）とし、その特定色サブ画素（Ｗ）を含まない水平ラインのゲートバスライン（Ｇn、Ｇn+2など）を非選択とする一方、特定色サブ画素（Ｗ）を含む水平ラインのゲートバスライン（Ｇn+1、Ｇn+3など）を順次選択する。
2011114583.tif 000002
【特許請求の範囲】
【請求項１】
複数色の組み合わせにより所望の色を表示するように、複数色に対応したサブ画素の少なくとも２行２列の配列によって構成された各画素を２次元的に配置した表示画面と、
列方向に配列された上記サブ画素に対してソース信号を供給するソースバスラインを駆動するソースドライバと、
行方向に配列されたサブ画素を選択するゲート信号を供給するゲートバスラインを駆動するゲートドライバとを備え、
上記サブ画素が行方向に配列された水平ラインを、上記ゲートドライバが走査するときに、上記サブ画素のうち、駆動したい同一色のサブ画素を特定色サブ画素とし、その特定色サブ画素を含む水平ラインを選択する一方、特定色サブ画素を含まない水平ラインを非選択とするように、上記ゲートドライバが上記ゲートバスラインを駆動すること
を特徴とする表示装置。
【請求項２】
上記ゲートドライバは、上記特定色サブ画素を含まない水平ラインを飛び越しながら、上記特定色サブ画素を含む水平ラインを順次選択すること
を特徴とする請求項１に記載の表示装置。
【請求項３】
上記ソースドライバは、上記特定色サブ画素を含まない水平ラインを非選択とする期間において、上記ソース信号の出力能力を低下させる、または上記ソース信号を上記サブ画素に供給するソース信号出力回路からの出力を停止すること
を特徴とする請求項１または２に記載の表示装置。
【請求項４】
上記ゲートドライバは、上記特定色サブ画素を含まない水平ラインを飛び越しながら、上記特定色サブ画素を含む水平ラインを順次選択し、
上記ソースドライバは、
少なくとも上記特定色サブ画素を含む列に対しては、特定色サブ画素を含む水平ラインを選択する水平期間の前に、特定色サブ画素を含まない水平ラインを選択しない非選択期間が連続している場合に、当該非選択期間から、上記ソース信号の供給を開始し、かつ、
上記ソース信号を上記サブ画素に供給するソース信号出力回路の出力能力を低下させること
を特徴とする請求項１または２に記載の表示装置。
【請求項５】
上記サブ画素の全てに共通電位を供給するコモンドライバをさらに備え、
上記コモンドライバは、上記ソース信号の極性を所定の水平期間毎に反転させるタイミングに応じたコモン反転駆動を行うとともに、上記共通電位を出力するコモン出力回路の出力能力を低下させること
を特徴とする請求項１から３のいずれか１項に記載の表示装置。
【請求項６】
上記ゲートドライバは、上記特定色サブ画素を含まない水平ラインを飛び越しながら、上記特定色サブ画素を含む水平ラインを順次選択し、
上記ソースドライバは、
少なくとも上記特定色サブ画素を含む列に対しては、特定色サブ画素を含む水平ラインを選択する水平期間の前に、特定色サブ画素を含まない水平ラインを選択しない非選択期間が連続している場合に、当該非選択期間から、上記ソース信号の供給を開始するとともに、
上記ソース信号の電位が所定のレベルに到達した後、当該ソース信号を上記サブ画素に供給するソース信号出力回路の出力能力を低下させる、またはソース信号出力回路の出力を停止すること
を特徴とする請求項１または２に記載の表示装置。
【請求項７】
上記ソース信号出力回路の上記出力能力を低下させる、または上記出力を停止するタイミングを、上記特定色サブ画素を含む水平ラインを選択するためのゲート信号が立ち上がって以降、立ち下がるまでの間に設定すること
を特徴とする請求項６に記載の表示装置。
【請求項８】
上記ゲートドライバは、上記特定色サブ画素を含まない水平ラインを飛び越しながら、上記特定色サブ画素を含む水平ラインを順次選択し、
上記ソースドライバは、
上記ソース信号の極性を、所定の水平期間毎に反転させ、かつ、上記特定色サブ画素を含まない水平ラインを非選択とする非選択期間に、上記ソース信号を供給する偶数本のソースバスラインのうち、充電電位が異なる２本以上の偶数本のソースバスラインを接続すること
を特徴とする請求項１に記載の表示装置。
【請求項９】
上記ゲートドライバは、
上記特定色サブ画素を含む水平ラインを選択する上記ゲート信号のオン時間を、上記水平ラインの１水平期間前および１水平期間後に非選択とする水平ラインの水平期間のうち、少なくとも１水平期間前に非選択とする水平ラインの水平期間にオーバーラップするように長くすること
を特徴とする請求項１から８のいずれか１項に記載の表示装置。
【請求項１０】
上記ゲートドライバは、
１垂直期間において、上記特定色サブ画素を含む全ての水平ラインを、１水平期間毎に連続して選択すること
を特徴とする請求項１に記載の表示装置。
【請求項１１】
上記ソースドライバは、
１垂直期間において、上記特定色サブ画素を含む水平ラインを選択しない非選択期間では、上記ソース信号の出力能力を低下させること、またはソース信号出力回路からの出力を停止すること
を特徴とする請求項１０に記載の表示装置。
【請求項１２】
上記特定色サブ画素を含むか否かによらず、全ての水平ラインを選択するフレームを、周期的または非周期的に挿入すること
を特徴とする請求項１から１１のいずれか１項に記載の表示装置。
【請求項１３】
複数のフレームを、周期的または非周期的に挿入し、
上記複数のフレームのそれぞれにおいては、上記特定色サブ画素を含む水平ラインを順次選択する一方、上記特定色サブ画素を含まない水平ラインの一部を選択するとともに、上記複数のフレームの全体で、上記特定色サブ画素を含まない水平ラインの全部が選択されるようになっていること
を特徴とする請求項１から１１のいずれか１項に記載の表示装置。
【請求項１４】
上記ソースドライバは、
全ての水平ラインを選択する上記フレームにおいて、上記特定色サブ画素以外のサブ画素に供給するソース信号について、ノーマリーホワイトモードの場合には、白電圧のソース信号を供給する一方、ノーマリーブラックモードの場合には、黒電圧のソース信号を供給すること
を特徴とする請求項１２に記載の表示装置。
【請求項１５】
上記ソースドライバは、
上記ソース信号の極性を少なくともフレーム毎に反転させる交流駆動を行うとともに、
上記特定色サブ画素を含む水平ラインのみを順次選択するフレームを偶数フレーム続けた後、上記全ての水平ラインを選択する上記フレームを少なくとも１つ挿入すること
を特徴とする請求項１２または１４に記載の表示装置。
【請求項１６】
上記ソースドライバは、
上記全ての水平ラインを選択する上記フレームと、上記全ての水平ラインを選択するその次のフレームとでは、上記ソース信号の極性を反転させること
を特徴とする請求項１２，１４または１５に記載の表示装置。
【請求項１７】
上記全ての水平ラインを選択する上記フレームを偶数個連続させること
を特徴とする請求項１２および１４から１６のいずれか１項に記載の表示装置。
【請求項１８】
上記特定色サブ画素を含むか否かによらず、全ての水平ラインを選択するフレームを偶数個連続させる第１の期間と、上記特定色サブ画素を含む水平ラインのみを順次選択する少なくとも１つのフレームが、上記第１の期間に続く第２の期間と、上記第２の期間に続いて、全ての水平ラインを選択するフレームを偶数個連続させる第３の期間とを設け、
上記ソースドライバは、
上記第１の期間では、上記ソース信号の極性を少なくともフレーム毎に反転させ、
上記第３の期間では、極性の反転が第１の期間とは逆になるように、上記ソース信号の極性を少なくともフレーム毎に反転させること
を特徴とする請求項１２および１４から１６のいずれか１項に記載の表示装置。
【請求項１９】
全ての水平ラインを選択する通常の駆動モードから、上記特定色サブ画素を含む水平ラインのみを選択する低電力駆動モードへ移行するときに、
ノーマリーホワイトモードの場合には、上記表示画面を構成する全てのサブ画素に白電圧を書き込むフレームを少なくとも１つ挿入する一方、
ノーマリーブラックモードの場合には、上記表示画面を構成する全てのサブ画素に黒電圧を書き込むフレームを少なくとも１つ挿入すること
を特徴とする請求項１から１８のいずれか１項に記載の表示装置。
【請求項２０】
上記挿入するフレームの数を複数とし、
上記ソースドライバは、
挿入する複数のフレームについては、上記ソース信号の極性を少なくともフレーム毎に反転させること
を特徴とする請求項１９に記載の表示装置。
【請求項２１】
全ての水平ラインを選択する通常の駆動モードから、上記特定色サブ画素を含む水平ラインのみを選択する低電力駆動モードへ移行するときに、
非選択とする上記特定色サブ画素を含まない水平ラインの数を徐々に増やした複数のフレームを挿入すること
を特徴とする請求項１から２０のいずれか１項に記載の表示装置。
【請求項２２】
上記画素の１つが、２行２列の上記サブ画素の配列によって構成され、かつ、
絶対輝度比の相対的に高い色のサブ画素を対角的に配置したこと
を特徴とする請求項１から２１のいずれか１項に記載の表示装置。
【請求項２３】
上記画素の１つが、２行２列の上記サブ画素の配列によって構成され、かつ、
上記特定色サブ画素を含まない水平ラインに並ぶ複数のサブ画素を、絶対輝度比の相対的に低い色のサブ画素にしたこと
を特徴とする請求項１から２１のいずれか１項に記載の表示装置。
【請求項２４】
上記特定色サブ画素を含まない水平ラインを非選択とする一方、特定色サブ画素を含む水平ラインを選択する領域は、上記表示画面の全体領域の一部であること
を特徴とする請求項１から２３のいずれか１項に記載の表示装置。
【請求項２５】
複数の画素が表示画面に２次元的に配列された表示装置であって、上記複数の画素の１画素が、複数色の組み合わせにより所望の色を表示するように、当該複数色に対応したサブ画素の少なくとも２行２列の配列によって構成された表示装置の駆動方法において、
上記サブ画素が行方向に配列された水平ラインを走査するときに、上記サブ画素のうち、駆動したい同一色のサブ画素を特定色サブ画素とし、その特定色サブ画素を含む水平ラインを選択する一方、特定色サブ画素を含まない水平ラインを非選択とすること
を特徴とする表示駆動方法。
【請求項２６】
特定色サブ画素を含まない水平ラインを選択しない非選択期間において、列方向に配列された上記サブ画素に対して供給されるソース信号の出力能力を低下させる、または上記ソース信号を上記サブ画素に供給するソース信号出力回路からの出力を停止することを特徴とする請求項２５に記載の表示駆動方法。
【発明の詳細な説明】
【技術分野】
【０００１】
本発明は、複数の基本色を組み合わせて１つの色を表示する画素を２次元的に配列した表示画面を備えた表示装置と、その表示駆動方法に関するものである。
【背景技術】
【０００２】
液晶表示装置および有機ＥＬ（ｅｌｅｃｔｒｏｌｕｍｉｎｅｓｃｅｎｃｅ）表示装置などのフラットパネルディスプレイは、小型から大型にいたる様々な画面サイズの表示装置の薄型化および軽量化を図ることができる利点を有している。【０００３】
例えば、最近では、本または雑誌と似た画面サイズを持ち、大量の書籍データをメモリに記憶でき、乗り物の中で本または雑誌を読むのと同じような感覚で、書籍データを読むことができる携帯型表示装置が普及しつつある。【０００４】
このような携帯型表示装置にとって、低消費電力の性能を向上させることは、重要な課題となっている。【０００５】
下掲の特許文献１には、消費電力の低減を図ることができる表示装置の構成と駆動方法とが開示されている。【０００６】
図３０は、液晶表示装置において、横ストライプと呼ばれる画素構成を示す模式的な平面図である。図３０に示すように、１つの画素７０は、２本の縦列の信号線Ｓ１，Ｓ２と、４本の横列の走査線Ｇ１，Ｇ２，Ｇ３，Ｇ４によって区画された領域にて構成されている。【０００７】
また、２枚の透明基板の一方において、信号線Ｓ１，Ｓ２と走査線Ｇ１，Ｇ２とにより囲まれた領域と、信号線Ｓ１，Ｓ２と走査線Ｇ２，Ｇ３とにより囲まれた領域と、信号線Ｓ１，Ｓ２と走査線Ｇ３，Ｇ４とにより囲まれた領域とに、それぞれ１つずつ画素電極７１が設けられている。各画素電極７１には、スイッチング素子としての薄膜トランジスタＴが接続されている。【０００８】
さらに、透明基板の他方においては、上記３つの画素電極７１のそれぞれに対応して、、Ｒ（赤）、Ｇ（緑）、Ｂ（青）のカラーフィルタが配置されている。したがって、図３１にも示すように、走査線Ｇ１，Ｇ４等によってＲの行を選択し、走査線Ｇ２，Ｇ５等によってＧの行を選択し、走査線Ｇ３，Ｇ６等によってＢの行を選択するようになっている。【０００９】
図３０に示す画素構成を、走査線に沿ってＲ、Ｇ、Ｂのカラーフィルタをこの順に配列した画素構成と比べると、前者の画素構成の方が後者の画素構成より消費電力を下げることができる。その理由は、後者の画素構成では、１つの画素について、走査線は１本で済む代わりに、３本の信号線が必要になるのに対し、前者の画素構成では、１つの画素について、走査線は３本必要になるものの、１本の信号線で済んでいるため、信号線を駆動するソースドライバの消費電力低減効果が大きいからである。【００１０】
なお、ソースドライバは、入力された８ビットのような多ビットのデジタル信号を、アナログ信号に変換しソース信号として供給するため、１ビットのスキャン信号を供給するゲートドライバより消費電力が大きく、また高価でもある。【００１１】
その上で、特許文献１では、駆動方法の工夫によって、消費電力の低減をさらに図っている。例えば、図３１は、液晶表示装置を駆動する場合のフレーム周波数とフィールドとの関係を示す概念図である。図３１に示すように、画像表示情報の１フレームをＲ、Ｇ、Ｂの基本色数以上の数のフィールドに分割し、１フィールド目（Ｆ１）には、上記走査線Ｇ１，Ｇ４等を用いて、Ｒの行を順番に走査する一方、Ｇ、Ｂの行を走査しないようにして走査線を間引いて走査する。同様に、２フィールド目（Ｆ２）には、走査線Ｇ２，Ｇ５等を用いて、Ｇの行を順番に走査する一方、Ｒ、Ｂの行を走査しないようにし、３フィールド目（Ｆ３）には、走査線Ｇ３，Ｇ６等を用いて、Ｂの行を順番に走査する一方、Ｒ、Ｇの行を走査しないようにしている。【００１２】
走査の周波数については、フレーム周波数を２０Ｈｚ（５０ｍｓ）とし、フィールド周波数を６０Ｈｚ（約１６．７ｍｓ）とし、１つのフィールドにおいて、走査線を２本ずつ飛ばしながら走査する。この結果、１フィールドで全ての走査線を順番に走査する場合の周波数に比べて、走査の周波数を１／３としている。【００１３】
したがって、１つの画素あたりに３本の走査線が必要になるものの、走査の周波数を１／３に抑えているため、１つの画素に１本の走査線が配置された通常のゲートドライバを、走査の周波数を変えずにそのまま使用できる。この結果、走査線数が増えても、上述したソースドライバの消費電力低減効果に影響が出ない。
【先行技術文献】
【特許文献】
【００１４】
【特許文献１】日本国公開特許公報「特開平１０−２２８２６３号（１９９８年０８月２５日公開）」
【発明の概要】
【発明が解決しようとする課題】
【００１５】
しかし、特許文献１の技術では、表示装置の低消費電力化を十分に図ることができないという問題がある。【００１６】
すなわち、特許文献１の技術では、フレーム周波数を２０Ｈｚにしているということは、１画面を書き換えるのに、５０ｍｓを必要とするということなので、人間の目には色毎のちらつきが見えてしまう。【００１７】
このちらつきが現れないように、１フレームを１６．７ｍｓ（６０Ｈｚ）の時間にした状態で、全走査線の走査を完了するとすれば、走査の周波数を３倍（１８０Ｈｚ）にして、１フィールドの時間を１／３にすることが必要になる。この場合には、ソースドライバやゲートドライバなどの周波数に依存する消費電力が増大するので、低消費電力化が不十分になる。【００１８】
本発明は、上記の課題に鑑みてなされたものであり、その目的は、低消費電力化を図り得る表示駆動方法および表示装置を提供することにある。
【課題を解決するための手段】
【００１９】
本発明に係る表示装置は、上記の課題を解決するために、
(1)複数色の組み合わせにより所望の色を表示するように、複数色に対応したサブ画素の少なくとも２行２列の配列によって構成された各画素を２次元的に配置した表示画面と、
(2)列方向に配列された上記サブ画素に対してソース信号を供給するソースバスラインを駆動するソースドライバと、
(3)行方向に配列されたサブ画素を選択するゲート信号を供給するゲートバスラインを駆動するゲートドライバとを備え、
(4)上記サブ画素が行方向に配列された水平ラインを、上記ゲートドライバが走査するときに、上記サブ画素のうち、駆動したい同一色のサブ画素を特定色サブ画素とし、その特定色サブ画素を含む水平ラインを選択する一方、特定色サブ画素を含まない水平ラインを非選択とするように、上記ゲートドライバが上記ゲートバスラインを駆動すること、
を特徴とする。【００２０】
上記の構成において、１画素は、複数色に対応したサブ画素の少なくとも２行２列の配列によって構成されている。この１画素を構成する複数のサブ画素のうち、駆動したい色のサブ画素を特定色サブ画素とする。例えば、上記複数色が、赤（Ｒ），緑（Ｇ），青（Ｂ），白（Ｗ）と仮定すると、これらの色の任意の１色を決め、その１色に対応するサブ画素（上記特定色サブ画素）にソースバスラインを介してソース信号（表示信号）を供給することにする。【００２１】
また、２行２列の配列のうち、例えば、１行目にＲ，Ｇの各サブ画素を配列し、２行目にＷ，Ｂの各サブ画素を配列すると考えると判るように、少なくとも２行２列の配列には、上記特定色サブ画素を含む少なくとも１つの行と、上記特定色サブ画素を含まない少なくとも１つの行とが含まれる。【００２２】
このような画素の構成を前提として、上記サブ画素が行方向に配列されたライン（便宜的に水平ラインと呼称する）を、上記ゲートドライバが走査するときに、上記特定色サブ画素を含む水平ラインを選択する一方、特定色サブ画素を含まない水平ラインを非選択とするように、上記ゲートドライバが上記ゲートバスラインを駆動する。【００２３】
これにより、１垂直期間（１フレーム）の中に、ゲートドライバがハイレベルのゲート信号を出力する期間（選択期間）と、ハイレベルのゲート信号を出力しない期間（非選択期間）とが生じる。【００２４】
したがって、ゲートドライバが全てのゲートバスラインを順番に駆動する通常の表示モードに比べて、上記非選択期間の分、消費電力を低減した低電力駆動モードを実現することができる。【００２５】
上記低電力駆動モードでは、例えば、情報を２色で表示した映像を提供することができる。２色のうちの１色は、例えば、(a)選択されなかった水平ラインに配列された複数色のサブ画素と、(b)選択された水平ラインに配列された複数色のサブ画素のうち上記特定色サブ画素以外のサブ画素との合計によって表される色であり、背景の色となる。また、２色のうちの他の１色は、例えば、選択された水平ラインに配列された複数色のサブ画素のうちの上記特定色サブ画素の液晶に対して、例えば高い電圧を印加した場合に表される色である。【００２６】
なお、本発明は、上記選択期間と上記非選択期間とが交互に繰り返される態様（いわゆる飛び越し走査）に限定されない。すなわち、１フレームの中に、どのように選択期間と非選択期間とを割り当てるかは、任意である。【００２７】
また、表示装置には、複数色に対応したサブ画素の少なくとも２行２列の配列によって画素を構成することができるあらゆるタイプの表示装置が該当する。【００２８】
本発明の表示駆動方法は、
(1)複数の画素が表示画面に２次元的に配列された表示装置であって、上記複数の画素の１画素が、複数色の組み合わせにより所望の色を表示するように、当該複数色に対応したサブ画素の少なくとも２行２列の配列によって構成された表示装置の駆動方法において、
(2)上記サブ画素が行方向に配列された水平ラインを走査するときに、上記サブ画素のうち、駆動したい同一色のサブ画素を特定色サブ画素とし、その特定色サブ画素を含む水平ラインを選択する一方、特定色サブ画素を含まない水平ラインを非選択とすることを特徴とする。【００２９】
これにより、既に説明したように、全ての水平ラインを順番に駆動する通常の表示モードに比べて、１フレーム中に非選択期間を設けることによって、消費電力を低減した低電力駆動モードを実現することができる。【００３０】
なお、ある着目した請求項に記載された構成と、その他の請求項に記載された構成との組み合わせが、その着目した請求項で引用された請求項に記載された構成との組み合わせのみに限られることはなく、本発明の目的を達成できる限り、その着目した請求項で引用されていない請求項に記載された構成との組み合わせが可能である。
【発明の効果】
【００３１】
本発明に係る表示装置は、以上のように、複数色の組み合わせにより所望の色を表示するように、複数色に対応したサブ画素の少なくとも２行２列の配列によって構成された各画素を２次元的に配置した表示画面を備え、上記サブ画素が行方向に配列された水平ラインを、上記ゲートドライバが走査するときに、上記サブ画素のうち、駆動したい同一色のサブ画素を特定色サブ画素とし、その特定色サブ画素を含む水平ラインを選択する一方、特定色サブ画素を含まない水平ラインを非選択とするように、上記ゲートドライバが上記ゲートバスラインを駆動する構成である。【００３２】
それゆえ、全ての水平ラインを順番に駆動する通常の表示モードに比べて、特定色サブ画素を含まない水平ラインを非選択とすることによって、消費電力を低減した低電力駆動モードを実現することができる。という効果を奏する。
【図面の簡単な説明】
【００３３】
【図１】低電力駆動モードの一実施形態におけるゲート信号およびソース信号のタイミングを示すタイミングチャートである。
【図２】画素の一構成例を示す模式的な平面図である。
【図３】１画素を２行２列のサブ画素Ｒ，Ｇ，Ｂ，Ｗによって構成した液晶表示装置の極性反転駆動の一形態として、１サブ画素を１ドットとしてドット反転駆動を行う場合の各サブ画素の極性のようすを、連続する２つのフレームについて示す説明図である。
【図４】上記極性反転駆動の他の形態として、１画素を１ドットとしてドット反転駆動を行う場合の各サブ画素の極性のようすを、連続する２つのフレームについて示す説明図である。
【図５】通常駆動モードにおけるゲート信号およびソース信号のタイミングを示すタイミングチャートである。
【図６】低電力駆動モードの他の実施形態におけるゲート信号およびソース信号のタイミングを示すタイミングチャートである。
【図７】低電力駆動モードのさらに他の実施形態におけるゲート信号およびソース信号のタイミングを示すタイミングチャートである。
【図８】ゲート信号に対して、ソース信号の出力を停止するタイミングを示す説明図である。
【図９】低電力駆動モードのさらに他の実施形態におけるタイミングチャートであり、（ａ）は、低電力駆動モードのさらに他の実施形態におけるゲート信号およびソース信号のタイミングを示し、（ｂ）は、接続したソースバスラインの電位の変化とコモン電位Ｖｃｏｍとの関係を示している。
【図１０】低電力駆動モードのさらに他の実施形態におけるゲート信号およびソース信号のタイミングを示すタイミングチャートである。
【図１１】１フレームにおけるゲート信号の出力タイミングを示すタイミングチャートであり、（ａ）は通常走査時を示し、（ｂ）は飛び越し走査時を示し、（ｃ）は低電力駆動モードのさらに他の実施形態におけるゲート信号の出力タイミングを示している。
【図１２】低電力駆動モードのさらに他の実施形態におけるゲート信号の出力タイミングを示すタイミングチャートである。
【図１３】低電力駆動モードのさらに他の実施形態におけるゲート信号の出力タイミングを示すタイミングチャートである。
【図１４】ノーマリーホワイトモードおよびノーマリーブラックモードの液晶において、印加電圧に対する光透過率の特性を示すグラフである。
【図１５】低電力駆動モードのさらに他の実施形態におけるゲート信号の出力タイミングと、ソース信号の極性とを示すタイミングチャートである。
【図１６】低電力駆動モードのさらに他の実施形態におけるゲート信号の出力タイミングと、ソース信号の極性とを示すタイミングチャートである。
【図１７】低電力駆動モードのさらに他の実施形態におけるゲート信号の出力タイミングと、ソース信号の極性とを示すタイミングチャートである。
【図１８】低電力駆動モードのさらに他の実施形態におけるゲート信号の出力タイミングと、ソース信号の極性とを示すタイミングチャートである。
【図１９】フルカラー表示モードから低電力駆動モードへの移行時におけるゲート信号の出力タイミングを示すタイミングチャートである。
【図２０】フルカラー表示モードから低電力駆動モードへの移行時におけるゲート信号の出力タイミングと、ソース信号の極性とを示すタイミングチャートである。
【図２１】フルカラー表示モードから低電力駆動モードへの移行時におけるゲート信号の出力タイミングを示すタイミングチャートである。
【図２２】１画素におけるサブ画素の一配置例を示す模式的な平面図である。
【図２３】１画素におけるサブ画素の他の配置例を示す模式的な平面図である。
【図２４】表示画面を通常駆動モードの領域と低電力駆動モードの領域とに分ける実施形態を示す説明図である。
【図２５】本発明の表示装置の一例である液晶表示装置の構成を示すブロック図である。
【図２６】液晶表示装置の１画素に関する等価回路を示す回路図である。
【図２７】ソース信号出力回路の一構成例を示す回路図である。
【図２８】ゲートドライバの構成例を示すブロック図である。
【図２９】１つのゲートドライバ用ＩＣの構成例を示すブロック図である。
【図３０】液晶表示装置において、横ストライプと呼ばれる画素構成を示す模式的な平面図である。
【図３１】液晶表示装置を駆動する場合のフレーム周波数とフィールドとの関係を示す概念図である。
【発明を実施するための形態】
【００３４】
〔実施の形態１〕
本発明の実施の一形態について図に基づいて説明すれば、以下のとおりである。なお、実施の形態として図示した構成部品の寸法、材質、形状、その相対配置などは、特に特定的な記載がない限り、この発明の範囲を図示した構成のみに限定する趣旨ではなく、単なる説明例に過ぎない。
【００３５】
（画素の構成）
本発明の表示装置は、複数色の組み合わせにより所望の色を表示する。そのために、表示装置が具備する表示画面には、複数色に対応したサブ画素の少なくとも２行２列の配列によって構成された各画素が、２次元的に配置されている。
【００３６】
図２は、画素の一構成例を示す模式的な平面図である。図２に示すように、１つの画素１は、赤（Ｒ）、緑（Ｇ）、青（Ｂ）、白（Ｗ）の４色に対応した４つのサブ画素Ｒ，Ｇ，Ｂ，Ｗによって構成されている。サブ画素Ｒ，Ｇ，Ｂ，Ｗは、２行２列に配列されているが、その配列順序は、特に限定されない。また、１色について１つのサブ画素を対応させているが、本発明はその形態に限定されず、１色について複数のサブ画素を対応させ、２行２列を超える行列数になっても構わない。
【００３７】
要は、後述する低電力駆動モード時に駆動したい色（例えば白）のサブ画素（例えばＷ）を特定色サブ画素とし、その特定色サブ画素を含む行と、特定色サブ画素を含まない行とが、１画素の中に、それぞれ少なくとも１行ずつ存在していればよい。
【００３８】
本実施の形態では、サブ画素Ｗを特定色サブ画素とする。
【００３９】
また、各サブ画素Ｒ，Ｇ，Ｂ，Ｗは、個別に駆動される。そのために、サブ画素が行方向に配列された水平ライン毎に、１本のゲートバスラインＧn+i（ｎは自然数、ｉは０以上の整数）が設けられているとともに、サブ画素が列方向に配列された垂直ライン毎に、１本のソースバスラインＳm+j（mは自然数、ｊは０以上の整数）が設けられている。
【００４０】
（表示装置の主要な構成）
図２５は、本発明の表示装置の一例であるＶＡ（Ｖｅｒｔｉｃａｌ  Ａｌｉｇｎｍｅｎｔ）モードの液晶表示装置の構成を示すブロック図である。図２５に基づいて、上記サブ画素のより詳しい回路構成を含めて、液晶表示装置の構成を以下に説明する。ただし、本発明は、液晶モードによらず使用できるため、横電界印加方式とも呼ばれるＩＰＳ（Ｉｎ−Ｐｌａｎｅ  Ｓｗｉｔｃｈｉｎｇ）モードや、ＴＮ（Ｔｗｉｓｔｅｄ  Ｎｅｍａｔｉｃ）モードであっても問題は無い。
【００４１】
本液晶表示装置はアクティブマトリクス型の表示装置であり、表示部２と、ゲートドライバ３と、ソースドライバ４と、ゲートドライバ３およびソースドライバ４を駆動制御するための外部駆動回路６と、共通電極ＣＯＭを駆動制御するための共通電極駆動回路７（コモンドライバ）とを備えている。なお、ソースドライバ４および共通電極駆動回路７の動作は、外部駆動回路６が生成する駆動モード制御信号（後述）および極性反転制御信号によって制御される。
【００４２】
表示部２は、上記ゲートバスラインＧn+iおよびゲートバスラインＧn+iと交差する上記ソースバスラインＳm+jを備えている。
【００４３】
上記ソースドライバ４は、１本のソースバスラインＳmに、所定の水平期間（例えば２水平期間）ごとに極性反転する信号電位を供給している。また、ソースドライバ４は、必要に応じて、同一水平期間（同一水平走査期間）に、隣接する２本のソースバスラインＳmおよびＳm+1に、逆極性の信号電位を供給することもできる。さらに、ソースドライバ４は、同一のサブ画素に、１フレーム（１垂直期間または１垂直走査期間）毎に極性反転する信号電位を書き込む交流駆動を行っている。
【００４４】
各サブ画素Ｒ，Ｇ，Ｂ，Ｗは、図２６に示すように、ＴＦＴ（Ｔｈｉｎ  Ｆｉｌｍ  Ｔｒａｎｓｉｓｔｏｒ）１１と、液晶容量ＣＬとを備えている。ＴＦＴ１１のゲートはゲートバスラインＧnに、ソースはソースバスラインＳmに、ドレインはサブ画素電極１２にそれぞれ接続されている。上記ゲートドライバ３からゲートバスラインＧnへ選択的にゲート信号が供給されると、ゲートがゲートバスラインＧnに接続されたＴＦＴがオフからオンに切り換わる。これによって、ソースバスラインＳmからオンになったＴＦＴを介して、液晶容量ＣＬにソース信号の電位と共通電極ＣＯＭに印加されるコモン電位Ｖｃｏｍとの電位差に相当する電圧が印加され、サブ画素の充電が行われる。
【００４５】
なお、液晶容量ＣＬは、サブ画素電極１２と共通電極ＣＯＭとの間に液晶層が配置されてなる容量である。
【００４６】
共通電極ＣＯＭには共通電極駆動回路７が備える電源回路で生成されたコモン電位Ｖｃｏｍ（共通電位）が印加される。
【００４７】
なお、ゲートドライバ３およびソースドライバ４の詳細な構成については、別途後述する。
【００４８】
（ソース信号の極性反転の仕方）
図３は、１画素を２行２列のサブ画素Ｒ，Ｇ，Ｂ，Ｗによって構成した液晶表示装置の極性反転駆動の一形態として、１サブ画素を１ドットとしてドット反転駆動を行う場合の各サブ画素の極性のようすを、連続する２つのフレームについて示す説明図である。
【００４９】
また、図４は、上記極性反転駆動の他の形態として、１画素を１ドットとしてドット反転駆動を行う場合の各サブ画素の極性のようすを、連続する２つのフレームについて示す説明図である。
【００５０】
図３に示す１サブ画素を１ドットとするドット反転駆動では、極性反転の周期とサブ画素の配列の繰り返しとが一致するため、フリッカが発生しやすくなる。より具体的には、例えばサブ画素Ｒ，Ｂに着目すると、あるフレーム（第ｎフレーム）では、サブ画素Ｒ，Ｂの極性が全て同じになっており、次のフレーム（第ｎ＋１フレーム）では、サブ画素Ｒ，Ｂの極性が揃って反転している。サブ画素Ｗ，Ｇでも同じ現象が起きている。
【００５１】
したがって、図３に示すドット反転駆動では、各サブ画素の極性反転の仕方が、フリッカの発生しやすいフレーム反転駆動における極性反転の仕方と同じになっていることがわかる。
【００５２】
これに対し、図４に示す１画素を１ドットとするドット反転駆動では、同一色のサブ画素の極性が、１フレームの中で空間的に平均化されるため、フリッカを低減することができる。より具体的には、例えばサブ画素Ｒ，Ｂに着目すると、あるフレーム（第ｎフレーム）の中で、各サブ画素の極性が、画素を単位として反転しており、次のフレーム（第ｎ＋１フレーム）では、同一画素の極性が揃って反転している。
【００５３】
このように、同一色のサブ画素の極性を１つのフレームの中で反転させた表示を行う方が、フリッカが目立ちにくくなる。
【００５４】
本発明の本質は、極性反転の仕方に制限されるものではなく、ドット反転駆動、ライン反転駆動、ソースライン反転駆動およびフレーム反転駆動のいずれを適用してもよい。しかし、図３に示すドット反転駆動よりも好ましい駆動形態として、図４に示すドット反転駆動を適用した形態を具体例に挙げて以下説明する。
【００５５】
（フルカラー表示に対応可能な通常駆動モード）
図５は、通常駆動モードにおけるゲート信号およびソース信号のタイミングを示すタイミングチャートである。
【００５６】
図５に示すように、通常駆動モードでは、全てのゲートバスラインＧn〜Ｇn+iが順番に選択される。すなわち、あるフレーム（第ｋフレーム）では、ゲートバスラインＧn〜Ｇn+iに対して、１水平期間毎に、順番にゲート信号が供給される。
【００５７】
一方、ソースバスラインＳmには、例えば、ゲート信号の立ち上がりと、２水平期間後のゲート信号の立ち下がりとに同期して、２水平期間毎に極性が反転するソース信号が供給される。また、次のフレーム（第ｋ＋１フレーム）では、同一のサブ画素に、極性が反転した信号電位が書き込まれるように、フレーム毎にソース信号の極性を反転する。
【００５８】
これにより、サブ画素Ｒ，Ｇ，Ｂ，Ｗのうち駆動したいサブ画素にソース信号が供給され、所望の映像をＲ，Ｇ，ＢおよびＷの４色全てを用いてフルカラーで表示することができる。
【００５９】
ただし、図５についてより詳しく説明すると、図５は、通常駆動モードにおいて、ノーマリホワイトの表示装置が、２水平ライン毎のライン反転駆動によってモノクロ表示を行う場合の、上記コモン電位Ｖｃｏｍと、ゲート信号およびソース信号とのタイミングを示している。なお、共通電極ＣＯＭに印加されるコモン電位Ｖｃｏｍに対して、ソース信号と同様に、２水平期間毎に極性を反転させるコモン反転駆動を行っている。
【００６０】
例えば、ゲートバスラインＧnおよびゲートバスラインＧn+1にゲート信号を供給する２つの選択期間では、ソースバスラインＳmに供給されるソース信号の電位は、最初の水平ラインのサブ画素Ｒについては、高電位、次の水平ラインのサブ画素Ｗについては、低電位になっている。一方、コモン電位Ｖｃｏｍは、最初の水平ラインについては高電位、次の水平ラインについても高電位になっている。
【００６１】
画素毎の液晶に印加される電圧（以下、液晶印加電圧という）は、ソース信号の電位とコモン電位Ｖｃｏｍとの電位差になるので、上記サブ画素Ｒの液晶印加電圧は、負極性の低電圧になり、上記サブ画素Ｗの液晶印加電圧は、負極性の高電圧になる。
【００６２】
また、上記２つの選択期間において、ソースバスラインＳm+1に供給されるソース信号の電位は、最初の水平ラインのサブ画素Ｇについて、サブ画素Ｒと同様に、高電位、次の水平ラインのサブ画素Ｂについても、高電位になっている。したがって、上記サブ画素Ｇの液晶印加電圧は、負極性の低電圧になり、上記サブ画素Ｂの液晶印加電圧も、負極性の低電圧になる。
【００６３】
今考えている表示装置のタイプは、上記したノーマリホワイトだから、コモン電位Ｖｃｏｍに対して近い電位になっているサブ画素Ｒ，Ｇ，Ｂは、混色によってほぼ白を表示し、高電位のサブ画素Ｗは黒を表示することになる。つまり、特定色サブ画素であるサブ画素Ｗが、文字のような情報の主体を表示し、その他のサブ画素Ｒ，Ｇ，Ｂが背景色を表示するようになっている。なお、後述するように、表示装置のタイプはノーマリブラックでも構わない。
【００６４】
（低電力駆動モードの実施形態１−１）
図１は、本発明の低電力駆動モードにおけるゲート信号およびソース信号のタイミングの一例を示すタイミングチャートである。
【００６５】
図１に示すように、低電力駆動モードでは、上記ゲートドライバ３が、上記サブ画素が行方向に配列された水平ラインを走査するときに、上記サブ画素Ｒ，Ｇ，Ｂ，Ｗのうち、駆動したい同一色のサブ画素を特定色サブ画素とし、その特定色サブ画素を含む水平ラインを選択する一方、特定色サブ画素を含まない水平ラインを非選択とすることによって、１垂直期間中に、どの水平ラインも選択しない非選択期間を設けるように、上記ゲートドライバ３が上記ゲートバスラインＧnを駆動する。
【００６６】
例えば、図２に示す画素１を構成するサブ画素Ｒ，Ｇ，Ｂ，Ｗのうち、サブ画素Ｗを上記特定色サブ画素とする。そして、サブ画素Ｗを含む水平ライン、すなわちサブ画素Ｗとサブ画素Ｂとが行方向に配列された水平ラインを選択の対象とする一方、サブ画素Ｗを含まない水平ライン、すなわちサブ画素Ｒとサブ画素Ｇとが行方向に配列された水平ラインを選択しないことにする。
【００６７】
そうすると、図１に示すように、サブ画素Ｗを含む水平ラインに対応するゲートバスラインＧn+1、Ｇn+3、Ｇn+5などの偶数番目に位置するゲートバスラインが順番に駆動され、サブ画素Ｗを含まない水平ラインに対応するゲートバスラインＧn、Ｇn+2、Ｇn+4などの奇数番目に位置するゲートバスラインは駆動されず飛び越される。
【００６８】
なお、本発明は、サブ画素Ｗを含む水平ラインに対応するゲートバスラインを順番に選択する形態に限定されるものではない。また、本発明は、コモン電位Ｖｃｏｍの極性を反転させるライン駆動方式に限定されるものではなく、コモン電位Ｖｃｏｍが直流電圧に固定されるソースライン反転駆動やドット反転駆動にも適用することができる。
【００６９】
上記の低電力駆動モードでは、例えば、情報を２色で表示した映像を提供することができる。２色のうちの１色は、選択されなかった水平ラインに配列された複数色のサブ画素および選択された水平ラインに配列された複数色のサブ画素の一つの合計３色によって表される色であり、背景の色となる。また、２色のうちの他の１色は、選択された水平ラインに配列された複数色のサブ画素のうちのもう一つの画素、つまり特定色サブ画素に対して、例えば高い電圧を印加した場合に表される色である。
【００７０】
例えば、図１に即して説明すると、ゲートバスラインＧnを飛び越す非選択期間では、最初の水平ラインに配列したサブ画素ＲおよびＧに対し、電圧が何も印加されない。今考えている表示装置のタイプは、ノーマリホワイトなので、サブ画素ＲおよびＧは、ともに初期状態を維持したままとなり、白を表示する。なお、正確にいえば、サブ画素ＲおよびＧは、それぞれ高階調の赤色および緑色を表示する。
【００７１】
また、次の水平ラインのサブ画素ＷおよびＢを選択すべく、ゲートバスラインＧn+1にゲート信号を供給する選択期間では、サブ画素Ｗについて、コモン電位Ｖｃｏｍが高電位であるのに対して、ソースバスラインＳmに供給されるソース信号の電位は低電位になっているので、サブ画素Ｗの液晶印加電圧は、負極性の高電圧になっている。また、サブ画素Ｂについて、コモン電位Ｖｃｏｍが同様に高電位であるのに対して、ソースバスラインＳm+1に供給されるソース信号の電位は高電位になっているので、サブ画素Ｂの液晶印加電圧は、負極性の低電圧になっている。
【００７２】
この結果、サブ画素ＲおよびＧは、初期状態から何も電圧が印加されないことによって白を表示し、サブ画素Ｂは、コモン電位Ｖｃｏｍとの電位差をほぼ無くすように充電されることによって白（正確には高階調の青）を表示する。また、サブ画素Ｗは、コモン電位Ｖｃｏｍとの電位差を大きくするように充電されることによって、黒を表示する。なお、サブ画素Ｒ，Ｇ，Ｂは、高階調の各色の混色によって、白を表示する。
【００７３】
なお、蛇足ながら、さらに次の水平ラインのサブ画素ＲおよびＧを飛び越す非選択期間（ゲートバスラインＧn+2に対応）では、サブ画素ＲおよびＧに対し、電圧が何も印加されない。一方、さらに次の水平ラインのサブ画素ＷおよびＢを選択すべく、ゲートバスラインＧn+3にゲート信号を供給する選択期間では、サブ画素Ｗについて、ソースバスラインＳmに供給されるソース信号およびコモン電位Ｖｃｏｍによる液晶印加電圧は、正極性の高電圧になっており、サブ画素Ｂについて、ソースバスラインＳm+1に供給されるソース信号およびコモン電位Ｖｃｏｍによる液晶印加電圧は、正極性の低電圧になっている。
【００７４】
また、例えば、ノーマリーブラックモードの液晶表示装置が図２に示す画素構成を備えている場合には、サブ画素Ｒ，ＧおよびＢは、液晶への充電電位がローレベルのときに、それぞれ黒を呈するので、上記背景色は、黒になる。また、サブ画素Ｗは、液晶への充電電位がハイレベルのときに、白を呈する。したがって、ノーマリーブラックモードの液晶表示装置では、黒の背景に白の文字や画像などを表示することができる。
【００７５】
このように、本発明の低電力駆動モードは、ユーザが書籍などのテキストを表示させ、消費電力を抑えた状態で、そのテキストを読むなど、モノクロ表示で構わない情報表示の用途に適している。
【００７６】
これにより、１フレーム（１垂直期間）の中に、上記ゲートドライバ３がハイレベルのゲート信号を出力する期間（選択期間）と、ハイレベルのゲート信号を出力しない期間（非選択期間）とが生じる。
【００７７】
したがって、ゲートドライバ３が全てのゲートバスラインＧn〜Ｇn+iを順番に駆動する通常の表示モードに比べて、上記非選択期間の分、消費電力を低減した低電力駆動モードを実現することができる。
【００７８】
上記の例では、背景色を白、主情報を黒で表示するか、背景色を黒、主情報を白で表示するモノクロ表示について説明したが、背景色および主情報の色を好みの色の組み合わせとするように、ユーザが指定することも可能である。
【００７９】
例えば、特定色サブ画素をサブ画素Ｂとし、その充電電位をハイレベルにするとともに、残りのサブ画素Ｒ，Ｇ，Ｗの充電電位をローレベルにした場合、ノーマリーホワイトモードでは、薄い黄色の背景に青の主情報を表示することができる。
【００８０】
（低電力駆動モードの実施形態１−２）
上述した低電力駆動モードにおいては、上記ソースドライバ４は、上記特定色サブ画素を含まない水平ラインを非選択とする期間において、上記ソース信号の出力を全て停止する、あるいは駆動能力を低くした状態で出力するようにしてもよい。
【００８１】
例えば、上記サブ画素Ｗを含まない水平ラインを非選択とする期間、言い換えれば、ゲートバスラインＧn、Ｇn+2、Ｇn+4などの奇数番目に位置するゲートバスラインが飛び越される水平期間毎に、上記ソースドライバ４は、全てのソースバスラインＳm〜Ｓm+jへの出力を停止する、あるいは駆動能力を低くした状態で出力する。
【００８２】
これにより、ゲートドライバ３の消費電力を低減できる効果に加えて、ソースドライバ４の消費電力を低減できる効果を得ることができるので、表示装置全体として大幅な消費電力の低減効果を得ることができる。
【００８３】
なお、Ｗ画素を含まない列（Ｇ，Ｂが並んだ列）のソース信号（Ｓm+1、Ｓm+3など）の出力を、低電力駆動モードでは全期間停止するようにすることは、以下の不具合を招くので採用しない。例えばＧn+1ラインを走査しているとき、つまりサブ画素Ｗとサブ画素Ｂの行が選択されているときは、サブ画素Ｂのスイッチング素子もＯＮされているため、そのサブ画素Ｂに接続される、例えばソースバスラインＳm+1の出力をＯｆｆにすると、サブ画素Ｂには不定の電圧が印加されることとなり、結果として、意図しない(不定の)階調を表示することになる。
【００８４】
（低電力駆動モードの実施形態１−３）
上記低電力駆動モードにおいては、ゲートドライバ３およびソースドライバ４の動作を次のようにしてもよい。
【００８５】
まず、ゲートドライバ３は、上記特定色サブ画素（Ｗ）を含まない水平ラインを飛び越しながら、上記特定色サブ画素を含む水平ラインを順次選択する。
【００８６】
その上で、ソースドライバ４は、以下の(1)(2)の動作を行う。
(1)少なくとも上記特定色サブ画素を含む列に対しては、特定色サブ画素を含む水平ラインを選択する水平期間の前に、特定色サブ画素を含まない水平ラインを選択しない上記非選択期間が連続している場合に、当該非選択期間から、上記ソース信号の供給を開始する。
(2)上記ソース信号を上記サブ画素に供給するソース信号出力回路の出力能力を低下させる。
【００８７】
上記(1)(2)の動作をより具体的に説明する。上記(1)の動作として、例えば、図６に示すように、特定色サブ画素（Ｗ）を選択するゲートバスラインＧn+1を駆動する水平期間の前に、ゲートバスラインＧnを駆動しない水平期間が連続しているので、その駆動しない水平期間から、少なくともソースバスラインＳm、Ｓm+2、Ｓm+4などに、ソース信号の供給を開始する。したがって、例えば、ソースバスラインＳmのソース信号の極性反転が、ゲートバスラインＧn+1を駆動する水平期間の１水平期間前からスタートしている。
【００８８】
なお、特定色サブ画素を含む列のみならず、特定色サブ画素を含まない列に対しても、上記(1)(2)の制御を行うことは、消費電力低減の効果を大きくできるので好ましいが、特定色サブ画素を含まない列に対して、上記(1)(2)の制御を行うことは、適宜選択すればよい。
【００８９】
上記(2)について、ソース信号出力回路の具体例は、図２７を参照して後述するように、ソースドライバ４に備えられたオペアンプ４ａであり、オペアンプ４ａの出力能力（バッファ能力）を低下させる。この結果、ソース信号の極性反転は、オペアンプ４ａの出力能力を低下させない場合に比べて、緩慢になる。
【００９０】
なお、オペアンプ４ａの出力能力を弱くするには、一例として、オペアンプ４ａへのバイアス電流量を少なくすることで実現できる。
【００９１】
上記(1)(2)の動作の結果として、図６に示すように、少なくとも特定色サブ画素（Ｗ）を含む列に対応する各ソースバスラインＳm+iに供給するソース信号の極性は、２水平期間毎に反転している。
【００９２】
ただし、ソース信号の供給の開始を早めていない図１の波形と比較すると、１画素を構成するサブ画素の行数に対応する水平期間毎に反転させる交流駆動が、図６の波形では、図１の波形より、１水平期間早くなり、かつ、ソース信号の立ち上がり、または立ち下がりが、図１の波形より緩慢になっている。
【００９３】
なお、図６では、ソース信号の駆動として、さらにフレーム反転駆動を採用しているが、本実施形態１−３では、その駆動に限定されない。
【００９４】
上記の動作によって、ソース信号出力回路の出力能力を低下させることによって、実施形態１−１の場合と比較して、ソースドライバ４の消費電力を低減することができる。
【００９５】
また、ゲートドライバ３は、飛び越し走査を行うので、特定色サブ画素を含む水平ラインを選択する水平期間の前に、特定色サブ画素を含まない水平ラインを選択しない非選択期間が連続している場合が必ず存在する。
【００９６】
ソースドライバ４は、この非選択期間からソース信号の供給を開始するので、ソース信号出力回路の出力能力を低下させても、特定色サブ画素（Ｗ）を十分に充電することができる。
【００９７】
（低電力駆動モードの実施形態１−４）
上記実施形態１−３の低電力駆動モードでは、図６にコモン電位Ｖｃｏｍの波形を示すように、上記共通電極駆動回路７が、上記交流駆動のタイミングに同期するコモン反転駆動を行うとともに、上記コモン電位Ｖｃｏｍを出力するコモン出力回路の出力能力を低下させてもよい。なお、コモン反転駆動およびソース信号の交流駆動それぞれの極性反転のタイミングは、例えば特定色サブ画素（Ｗ）を十分に充電できるタイミングでありさえすれば、必ずしも同期している必要はない。
【００９８】
これにより、コモン出力回路の出力能力を低下させるので、コモンドライバの消費電力を低減することができ、表示装置の消費電力の低減に寄与する。また、ソース信号出力回路の出力能力を低下させることと組み合わせれば、表示装置全体の消費電力を一層大幅に低減することができる。
【００９９】
（低電力駆動モードの実施形態１−５）
本実施形態１−５は、前述した実施形態１−３の変形例であり、図７に示すように、ゲートドライバ３およびソースドライバ４の動作を次のようにしてもよい。
【０１００】
まず、ゲートドライバ３は、上記特定色サブ画素（Ｗ）を含まない水平ラインを飛び越しながら、上記特定色サブ画素を含む水平ラインを順次選択する。
【０１０１】
その上で、ソースドライバ４は、上記した(1)の動作を行うとともに、上記した(2)の動作に代えて以下の(2')の動作を行う。
(1)少なくとも上記特定色サブ画素を含む列に対しては、特定色サブ画素を含む水平ラインを選択する水平期間の前に、特定色サブ画素を含まない水平ラインを選択しない非選択期間が連続している場合に、当該非選択期間から、上記ソース信号の供給を開始する。
(2')上記ソース信号の電位が所定のレベルに到達した後、当該ソース信号を上記サブ画素に供給するソース信号出力回路の出力能力を低下させる、またはソース信号出力回路の出力を停止する。
【０１０２】
なお、図７では、選択期間の１水平期間前からソースバスラインの充電を開始しているが、選択期間の１水平期間前の非選択期間内であれば、充電の開始時期に制約は無い。
【０１０３】
本実施形態においても、ゲートドライバ３およびソースドライバ４の両方において、消費電力を大幅に低減することができる。その上、ソース信号出力回路の出力能力を低下させる、または出力を停止するタイミングを、ソース信号の電位が所定のレベルに到達した後に設定したので、消費電力を減らしながらも、画素の充電が不足するおそれを軽減することができる。
【０１０４】
（低電力駆動モードの実施形態１−６）
上記実施形態１−５の低電力駆動モードにおいて、上記ソース信号出力回路の上記出力能力を低下させる、または上記出力を停止するタイミングを、以下のように設定してもよい。
【０１０５】
図８は、図７のタイミングチャートにおける範囲Ａに含まれる波形を拡大して示す波形図である。
【０１０６】
図８に示すように、上記ソース信号出力回路の上記出力能力を低下させる、または上記出力を停止するタイミングを、上記特定色サブ画素（Ｗ）を含む水平ラインを選択するためのゲート信号が立ち上がって以降、１水平期間より短い所定時間ｔの経過後に設定してもよい。
【０１０７】
これにより、ソース信号出力回路の出力は、ゲート信号が立ち上がってから立ち下がるまでの間に、低下するか、あるいは停止されるので、ソース信号の電位が所望のレベルに到達する確実性を高めることができ、サブ画素の充電が不足するおそれを一層軽減することができる。
【０１０８】
（低電力駆動モードの実施形態１−７）
本実施形態１−７は、前記実施形態１−１の低電力駆動モードに組み合わせることができるソースドライバ４の他の動作例に関するものである。以下、図９を参照して、ソースドライバ４の他の動作例を説明する。
【０１０９】
本実施形態１−７では、ゲートドライバ３は、上記特定色サブ画素（Ｗ）を含まない水平ラインを飛び越しながら、上記特定色サブ画素を含む水平ラインを順次選択し、ソースドライバ４は、上記ソース信号の極性を、所定の水平期間毎（例えば上記１画素を構成するサブ画素の行数に対応する水平期間毎）に反転させるライン反転駆動を行うことを基本としている。その上で、ソースドライバ４は、上記特定色サブ画素（Ｗ）を含まない水平ラインを非選択とする上記非選択期間に、上記ソース信号を供給する偶数本のソースバスラインのうち、充電電位が異なる２本以上の偶数本のソースバスラインを接続する。
【０１１０】
より具体的には、図９の（ａ）に示すように、ソースドライバ４は、上記ソース信号の極性を、例えば２行２列を単位として配列されたサブ画素の２行に対応する２水平期間毎に反転させる。
【０１１１】
その上で、ソースドライバ４は、上記特定色サブ画素（Ｗ）を含まない水平ラインのゲートバスライン（例えばＧn）を非選択とする期間に、充電電位の異なる隣り合った１組２本のソースバスライン（例えば、非選択期間（Ｇn）においてコモン電位Ｖｃｏｍに対し低電位のソースバスラインＳmおよび高電位のソースバスラインＳm+1）を接続する。
【０１１２】
さらに、充電電位の異なる隣り合った次の１組２本のソースバスライン（例えば、非選択期間（Ｇn）においてコモン電位Ｖｃｏｍに対し低電位のソースバスラインＳm+2および高電位のソースバスラインＳm+3）を接続し、以下、同様に、１組２本のソースバスラインずつを接続する。
【０１１３】
なお、一度に接続する本数は２本に限らず、偶数本（Ｑ本）で構成された全ソースバスラインを接続の対象とし、全ソースバスラインのうち、ある水平期間で高電位になる偶数本（Ｑ／２本）のソースバスラインと、その同じ水平期間で低電位になる偶数本（Ｑ／２本）のソースバスラインとを接続してよい。すなわち、高電位および低電位に充電されているソースバスラインのバランスが取れるような上記Ｑ以下の偶数本でありさえすれば、接続する本数は任意である。
【０１１４】
一方、上記特定色サブ画素（Ｗ）を含む水平ラインのゲートバスライン（例えばＧn+1）を選択する選択期間では、ソースバスライン同士の接続を止め、全ソースバスラインを駆動する。
【０１１５】
これにより、図９の（ｂ）に示すように、ソースドライバ４が、上記のようにソース信号の極性を制御しながら、ソースバスラインを駆動することによって、サブ画素ＷおよびＢを充電するための選択期間では、隣り合うソースバスラインは互いに異なる電位に充電されている。したがって、電位の異なる２本以上の偶数本のソースバスラインを接続して短絡させると、ＨｉｇｈとＬｏｗの電位同士が相殺し合うため、非選択期間では、図９の（ａ）にも示すように、ソースバスラインの電位が、両電位の中間の電位まで充電または放電される。
【０１１６】
その後、選択期間では、ソースドライバ４からの出力によって、上記ソースバスラインの電位が、再び所望の電位まで充電される。
【０１１７】
なお、ソースバスライン同士を接続する期間は、非選択期間全体ではなく、その一部の期間であってもよい。
【０１１８】
これによって、実質的にソースドライバ４の負荷が軽くなるので、ゲートドライバ３の消費電力低減に加えて、さらなる低消費電力化を実現できる。
【０１１９】
（低電力駆動モードの実施形態１−８）
本実施形態１−８は、前記実施形態１−１から１−７の低電力駆動モードにおけるゲートドライバ３の動作と、後述する実施形態３−１−Ｂにおけるゲートドライバ３の動作にもあてはまる変形例に関するものである。以下、図１０を参照して、ゲートドライバ３の動作を説明する。
【０１２０】
本実施形態１−８では、ゲートドライバ３は、上記特定色サブ画素（Ｗ）を含む水平ラインを選択するゲート信号のオン時間を、上記水平ラインの１水平期間前および１水平期間後に非選択とする水平ラインの水平期間のうち、少なくとも１水平期間前に非選択とする水平ラインの水平期間にオーバーラップするように長くする。
【０１２１】
より具体的には、図１０に示すように、上記特定色サブ画素（Ｗ）を含む水平ラインに対応するゲートバスラインＧn+1、Ｇn+3、Ｇn+5などの選択期間を、通常の１水平期間から、例えば２水平期間に長く延ばしている。
【０１２２】
選択期間の延ばし方は、例えば、ゲートバスラインＧn+1の通常の選択期間に、１水平期間早い選択期間を加えている。フルカラー表示モード（図５）ではゲートバスラインＧn+1より１水平期間早く選択されるように、ゲートバスラインＧn+1に隣り合ったゲートバスラインＧnの選択期間が、低電力駆動モードでは非選択期間に置き換わっているので、本実施形態１−８の選択期間は、この非選択期間にオーバーラップしている。
【０１２３】
なお、ゲートバスラインの選択期間が、前後のゲートバスラインの選択期間とオーバーラップしない限り、選択期間が、該選択期間の１水平期間後の非選択期間とオーバーラップしてもよい。
【０１２４】
なお、コモン電位Ｖｃｏｍの反転タイミングを、ゲート信号がオフである期間に設定しなければ、表示に影響が出るため、ゲートバスラインの選択期間が、該選択期間の１水平期間後の非選択期間とオーバーラップする場合には、コモン電位Ｖｃｏｍの反転タイミングも遅くする必要がある。
【０１２５】
これにより、サブ画素への充電期間を長く取ることが可能となるため、ソースドライバ４のソース信号出力回路の出力能力を低減できる効果が生まれる。
【０１２６】
また、本実施形態１−８のゲートドライバ３の動作を、先に説明した実施形態１−７のソースドライバ４の動作と組み合わせると、接続したソースバスライン同士での充電または放電の効果に加えて、接続したソースバスラインに対応するサブ画素に印加された電圧同士も充電または放電し合うことが可能となる。
【０１２７】
以上の結果、ソースドライバ４の負荷がさらに軽くなるので、一層の低消費電力化を実現できる。
【０１２８】
（外部駆動回路に関する補足）
前記外部駆動回路６は、前記駆動モード制御信号および極性反転制御信号を出力する他に、ゲートドライバ３にゲートクロック信号ＧＣＫおよびゲートスタートパルスＧＳＰを供給するとともに、ソースドライバ４にソースクロック信号ＳＣＫ、ソーススタートパルスＳＳＰ、および、表示データＤＡを供給する。
【０１２９】
（ソースドライバに関する補足）
また、ソースドライバ４のデータ信号出力端子とソースバスラインＳm+jとの間には、スイッチとしてのソーススイッチＳＷjが設けられている。ここでは、各ソーススイッチＳＷjは１つのデータ信号出力端子と１つのソースバスラインＳm+jとの間に１つ設けられている例について説明する。
【０１３０】
図２７に示すように、ソーススイッチＳＷは例えばＴＦＴで構成されており、ソースドライバ４のオペアンプ４ａの出力とソースバスラインＳmとの間に接続されている。ソーススイッチＳＷのＯＮ／ＯＦＦ制御は、外部駆動回路６から供給される制御信号ｓ０によって行われる。この場合には、ソーススイッチＳＷは典型的には表示パネル上にモノリシックに作り込まれる。またこの場合に、ソースドライバ４は典型的にはＩＣとして構成されるが、表示パネル上にモノリシックに作り込まれてもよい。これらの形態は、例えば多結晶シリコン、ＣＧシリコン、微結晶シリコンなどを用いたパネルに適している。
【０１３１】
また、ソーススイッチＳＷは、ＩＣとして構成されるソースドライバ４の内部に備えられていてもよいし、表示パネルの外部に設けられてもよい。この形態は、例えばアモルファスシリコンを用いたパネルに適している。ソーススイッチＳＷとしてはＴＦＴに限らず、一般の電界効果トランジスタやバイポーラトランジスタなどの任意の形態のスイッチが使用可能である。
【０１３２】
（ゲートドライバに関する補足）
次に、前記した各実施形態で用いられるゲートドライバ３の構成の詳細について説明する。図２８は、ゲートドライバ３の構成例を示すブロック図である。図２８に示すように、ゲートドライバ３は、複数のゲートドライバ用ＩＣ４１１〜４１ｑを備えている。また、図２９は、１つのゲートドライバ用ＩＣ４１ｎの構成例を示している。
【０１３３】
ゲートドライバ用ＩＣ４１ｎは、第１および第２シフトレジスタ４２・４３、第１および第２ＡＮＤゲート４４１・４４２、および、出力部４５を備えている。第１シフトレジスタ４２は、奇数段用シフトレジスタであり、第２シフトレジスタ４３は、偶数段用シフトレジスタである。第１ＡＮＤゲート４４１は、第１シフトレジスタ４２からの出力に対応して設けられており、第２ＡＮＤゲート４４２は第２シフトレジスタ４３からの出力に対応して設けられている。出力部４５は、第１ＡＮＤゲート４４１および第２ＡＮＤゲート４４２の出力信号ｇ１〜ｇｐに基づいて走査信号Ｇ１〜Ｇｐを出力する。
【０１３４】
ゲートドライバ用ＩＣ４１ｎには、前記外部駆動回路６から各シフトレジスタに入力されるゲートスタートパルスＧＳＰａ・ＧＳＰｂ、ゲートクロック信号ＧＣＫａ・ＧＣＫｂ、およびゲート出力制御信号ＧＯＥａ・ＧＯＥｂが入力されている。ゲートスタートパルスＧＳＰａ・ＧＳＰｂは、それぞれ第１シフトレジスタ４２および第２シフトレジスタ４３の入力端に入力され、第１シフトレジスタ４２および第２シフトレジスタ４３の出力端からは、後続のゲートドライバ用ＩＣに入力されるべきスタートパルス信号ＳＰｏａ、ＳＰｏｂが出力される。
【０１３５】
また、第１ＡＮＤゲート４４１には第１シフトレジスタ４２からの奇数段出力信号Ｑｋ（ｋは奇数）とゲート出力制御信号ＧＯＥａの論理反転信号とが入力される。一方、第２ＡＮＤゲート４４２には第２シフトレジスタ４３からの偶数段出力信号Ｑｋ（ｋは偶数）とゲート出力制御信号ＧＯＥｂの論理反転信号とが入力される。
【０１３６】
本構成例によるゲートドライバ３は、上記構成の複数（ｑ個）のゲートドライバ用ＩＣ４１１〜４１ｑが、縦続接続されることによって実現される。
【０１３７】
次に、前記構成例によるゲートドライバ３の動作について説明する。
【０１３８】
外部駆動回路６は、表示装置に対して入力される垂直同期信号に基づき１フレーム期間（１垂直走査期間）毎に所定期間だけＨレベルとなる信号としてゲートスタートパルス信号ＧＳＰ（ＧＳＰａ、ＧＳＰｂ）を生成し、表示装置に対して入力される水平同期信号に基づきゲートクロック信号ＧＣＫ（ＧＣＫａ、ＧＣＫｂ）ならびにゲートドライバ出力制御信号ＧＯＥ（ＧＯＥａ、ＧＯＥｂ）を生成する。
【０１３９】
フルカラー表示モードの場合は、上述のように生成したゲートスタートパルス信号ＧＳＰ（ＧＳＰａ、ＧＳＰｂ）、ゲートクロック信号ＧＣＫ（ＧＣＫａ、ＧＣＫｂ）及びゲートドライバ出力制御信号ＧＯＥ（ＧＯＥａ、ＧＯＥｂ）をゲートドライバ３に入力させる。
【０１４０】
一方、低電力駆動モードの場合は、上述のように生成した信号のうち、ゲートスタートパルス信号ＧＳＰａ、ゲートクロック信号ＧＣＫａ及びゲートドライバ出力制御信号ＧＯＥａをゲートドライバ３に入力させる。ＧＳＰｂ、ＧＣＫｂ、ＧＯＥｂはＨｉｇｈレベルかＬｏｗレベルの固定入力とする。
【０１４１】
このようなゲートスタートパルスＧＳＰおよびゲートクロック信号ＧＣＫ（ＧＣＫａ・ＧＣＫｂ）がゲートドライバ３に入力されると、先頭のゲートドライバ用ＩＣ４１１における第１および第２シフトレジスタ４２・４３の初段の出力信号Ｑ１・Ｑ２が出力される。この出力信号Ｑ１・Ｑ２は、各フレーム期間において、画素データ書込パルスに対応するパルスを含む。
【０１４２】
このようなパルスがゲートクロック信号ＧＣＫに従って、第１および第２シフトレジスタ４２・４３の各段に順次転送されていく。それに応じて第１および第２シフトレジスタ４２・４３の各段から、信号波形がＧＣＫの立ち上がりに合わせてＨレベルとなり次のＧＣＫの立ち上がりに合わせてＬレベルとなる出力信号Ｑｎが順次ずれて出力される。
【０１４３】
また、外部駆動回路６は、前述したように、ゲートドライバ３を構成するゲートドライバ用ＩＣ４１１〜４１ｑに与えるべきゲート出力制御信号ＧＯＥ（ＧＯＥａ・ＧＯＥｂ）を生成する。ここで、ｎ番目のゲートドライバ用ＩＣ４１ｎに与えるべきゲート出力制御信号ＧＯＥは、当該ゲートドライバ用ＩＣ４１ｎ内における第１および第２シフトレジスタ４２・４３のいずれかの段から画素データ書込パルスに対応するパルスが出力されている期間で、画素データ書込パルス幅の調整のためにＬレベルまたはＨレベルとなる。これは上記所定期間でＨレベルとなることに相当し、上記所定期間でＨレベルとなるパルスのことを「書込期間調整パルス」と称する。
【０１４４】
なお、画素データ書込パルスの調整のためにゲート出力制御信号ＧＯＥに含まれるパルス（書込期間調整パルス）は、必要な画素データ書込パルスを出力させたい期間に応じて、適宜調整することができる。
【０１４５】
各ゲートドライバ用ＩＣチップ４１ｎ（ｎ＝１〜ｑ）では、上記のようなシフトレジスタ各段の出力信号Ｑｋ（ｋ＝１〜ｐ）、ゲートクロック信号ＧＣＫおよびゲート出力制御信号ＧＯＥに基づき、第１および第２のＡＮＤゲート４４１・４４２により、内部走査信号ｇ１〜ｇｐが生成され、それらの内部走査信号ｇ１〜ｇｐが出力部４５でレベル変換されて、ゲートバスラインＧn〜Ｇn+iに印加すべき走査信号Ｇ１〜Ｇｐが出力される。
【０１４６】
〔実施の形態２〕
本発明の他の実施形態を図に基づいて説明する。なお、説明の便宜上、前記の実施形態の図面に示した部材と同一の機能を有する部材については、同一の符号を付し、その説明を省略する。
【０１４７】
前記実施形態の低電力駆動モードでは、図１１の（ｂ）にも示すように、選択期間と非選択期間とを交互に設けた飛び越し走査を行っていたが、本実施形態の低電力駆動モードでは、そのような飛び越し走査を行わずに、消費電力の削減を図っている。
【０１４８】
（低電力駆動モードの実施形態２−１）
本実施形態２−１では、図１１の（ｃ）に示すように、上記ゲートドライバ３は、１フレームにおいて、上記特定色サブ画素（Ｗ）を含む全ての水平ラインを、１水平期間毎に連続して選択した後、上記特定色サブ画素を含まない全ての水平ラインについては、選択しないようにしている。
【０１４９】
より具体的には、図２を参照して画素の構成を説明したとおり、図１１の（ａ）に示すゲートバスラインＧ0〜Ｇmのうち、特定色サブ画素（Ｗ）を含む水平ラインには、偶数番目のゲートバスライン（Ｇ1、Ｇ3など）が対応し、特定色サブ画素（Ｗ）を含まない水平ラインには、奇数番目のゲートバスライン（Ｇ0、Ｇ2など）が対応している。
【０１５０】
ゲートドライバ３は、通常表示モードでは、図１１の（ａ）に示すように、全てのゲートバスラインＧ0〜Ｇmを順番に駆動する。その通常表示モードが低電力駆動モードに切り替わると、ゲートドライバ３は、偶数番目のゲートバスライン（Ｇ1、Ｇ3など）を１水平期間毎に連続して駆動し、偶数番目のゲートバスラインの最後のゲートバスラインＧmを駆動し終えると、動作を停止する。
【０１５１】
この結果、１水平期間を１Ｈとし、ゲートバスラインの全数（ただし偶数）をｍ＋１とすると、以下の式で表される休止期間τ１（非選択期間）が、１フレームの後半に生じることになる。
【０１５２】
τ１＝１Ｈ×（ｍ＋１）／２
このように、１フレームの約半分の休止期間τ１を、フレーム周期で設けたことにより、フルカラー表示モードに比べて、上記休止期間τ１の分、消費電力を低減した低電力駆動モードを実現することができる。
【０１５３】
なお、コモン電位Ｖｃｏｍは、偶数番目のゲートバスライン（Ｇ1、Ｇ3など）を１水平期間毎に連続して駆動するのに合わせて、１水平期間毎に、高電位と低電位とに反転している。また、ソース信号およびコモン電位Ｖｃｏｍによる液晶印加電圧については、例えば特定色サブ画素（Ｗ）を含む列に対応するソースバスラインＳnに着目すると、ゲートバスラインＧ1の選択期間では、コモン電位Ｖｃｏｍに対して負極性の高電圧となり、ゲートバスラインＧ3の選択期間では、コモン電位Ｖｃｏｍに対して正極性の高電圧となり、以降、同様に繰り返すように、１水平期間毎の極性反転が行われている。
【０１５４】
また、特定色サブ画素（Ｗ）を含まない列に対応するソースバスラインＳn+1に着目すると、液晶印加電圧は、ゲートバスラインＧ1の選択期間では、コモン電位Ｖｃｏｍに対して負極性の低電圧となり、ゲートバスラインＧ3の選択期間では、コモン電位Ｖｃｏｍに対して正極性の低電圧となり、以降、同様に繰り返すように、１水平期間毎の極性反転が行われ、極性は、ソースバスラインＳnと同じになっている。
【０１５５】
これにより、ノーマリホワイトの表示装置では、サブ画素Ｂの液晶に対しては、例えばソースバスラインＳn+1によって低電圧に充電されることにより、白（高階調の青）を表示し、サブ画素ＲおよびＧは、何も充電されず初期状態を維持することによって白（高階調の赤および緑）を表示し、サブ画素Ｗの液晶に対しては、例えばソースバスラインＳnによって高電圧に充電されることにより、黒を表示する。この結果、低電力モードで、かつ背景色を白とし、主情報の色を黒とする良好なモノクロ表示を行うことができる。
【０１５６】
なお、上記休止期間τ１では、各サブ画素は、直前の充電状態を維持するので、上記モノクロ表示を維持することができる。
【０１５７】
（低電力駆動モードの実施形態２−２）
上記実施形態２−１に関して、上記ソースドライバ４は、１フレームにおいて、上記特定色サブ画素を含む水平ラインおよび上記特定色サブ画素を含まない水平ラインのどちらも選択しない非選択期間（休止期間τ１）では、上記ソース信号の出力を全て停止する、または、出力能力を低下させてもよい。つまり、ソースドライバ４が内蔵する前記オペアンプ４ａからソースバスラインＳmに対して、書き込み電圧の供給を停止する、または、供給能力を低下させもよい。
【０１５８】
これにより、ゲートドライバ３の消費電力を低減できるという前述した効果に加えて、ソースドライバ４の消費電力を低減できる効果を得ることができるので、表示装置全体の大幅な消費電力削減の効果を得ることができる。
【０１５９】
〔実施の形態３〕
本発明のさらに他の実施形態を図に基づいて説明する。なお、説明の便宜上、前記の実施形態の図面に示した部材と同一の機能を有する部材については、同一の符号を付し、その説明を省略する。
【０１６０】
本実施形態の低電力駆動モードでは、実施の形態１および実施の形態２で説明した各低電力駆動モードを実行しているフレームとフレームとの間に、全てのゲートバスラインを駆動するフレームを挿入する、または、全てのゲートバスラインを複数のフレームに分けて段階的に選択するように、複数のフレームを挿入し、それによって表示品位の向上を図ることを基本としている。
【０１６１】
（低電力駆動モードの実施形態３−１−Ａ）
本実施形態３−１−Ａでは、図１２に示すように、実施の形態１および実施の形態２で説明した各低電力駆動モードを実行しているフレームとフレームとの間に、上記特定色サブ画素（Ｗ）を含むか否かによらず、全ての水平ラインを選択するフレームを、周期的または非周期的に挿入する。
【０１６２】
全ての水平ラインを選択するフレームでは、通常表示モードの場合と同じように、例えば、全てのゲートバスラインを１番目から最終番目まで順次駆動する。なお、順次駆動は必須ではなく、全てのゲートバスラインが、１フレームの中で、少なくとも１回駆動されればよい。
【０１６３】
全ての水平ラインを選択するフレームを挿入するのは、画素に対して信号を何も書き込まない状態が続くと、液晶の信頼性が低下するおそれがあるという問題に対する対策としての意義がある。
【０１６４】
上記の問題を回避するために、数フレームに一度、全水平ラインを選択し、何らかの信号を書き込むことによって、表示の信頼性が低下する問題を回避することができる。
【０１６５】
（低電力駆動モードの実施形態３−１−Ｂ）
本実施形態３−１−Ｂでは、図１３に示すように、実施の形態１および実施の形態２で説明した各低電力駆動モードを実行しているフレームとフレームと（図１３のｋ−１フレームとｋ＋ｊ＋１フレームと）の間に、複数のフレームを、周期的または非周期的に挿入し、上記複数のフレームのそれぞれにおいては、上記特定色サブ画素（Ｗ）を含む水平ラインを順次選択する一方、上記特定色サブ画素を含まない水平ラインの一部を選択するとともに、上記複数のフレームの全体で、上記特定色サブ画素を含まない水平ラインの全部が選択されるようにしている。
【０１６６】
これにより、実施形態３−１−Ａと同様に、液晶の信頼性が低下する問題を回避することができる。
【０１６７】
なお、上記複数のフレームにおいて、上記特定色サブ画素を含まない水平ラインの一部をどのような順番で選択するかは任意であり、水平ラインの一部としてのライン数を同じに揃える必要も無い。また、複数のフレームの数にも制限は無い。
【０１６８】
（低電力駆動モードの実施形態３−２）
上記実施形態３−１−Ａおよび３−１−Ｂの低電力駆動モードでは、上記ソースドライバ４は、低電力駆動モードを実行するフレームとフレームとの間に挿入する上記フレームにおいて、上記特定色サブ画素以外のサブ画素に供給するソース信号について、ノーマリーホワイトモードの場合には、白電圧となるソース信号を供給する一方、ノーマリーブラックモードの場合には、黒電圧となるソース信号を供給することが好ましい。
【０１６９】
より具体的には、図２に示す画素構成に対し図１２および１３に示す表示駆動方法を適用した場合、全ての水平ラインを選択する第ｋフレーム、または上記特定色サブ画素を含まない水平ラインの一部を選択する第ｋ+jフレームにおいて、ゲートバスラインＧnを駆動するとき、ゲートバスラインＧnに対応するサブ画素Ｒ，Ｇに、上記白電圧または黒電圧のソース信号を供給する。すなわち、全ソースバスラインＳm〜Ｓm+jに上記白電圧または黒電圧のソース信号を供給する。
【０１７０】
次のゲートバスラインＧn+1を駆動するときには、サブ画素Ｂに、上記白電圧または黒電圧となるソース信号を供給する。すなわち、サブ画素Ｂを含む列に対応するソースバスライン（Ｓm+1、Ｓm+3など）に上記白電圧または黒電圧となるソース信号を供給する。
【０１７１】
なお、ノーマリーホワイトモードおよびノーマリーブラックモードの各液晶表示パネルの印加電圧Ｖに対する透過率Ｔ（％）の特性（Ｖ−Ｔ特性）を図１４に示す。ノーマリーホワイトモードの場合、液晶印加電圧が低いときに、最大透過率を呈し、液晶印加電圧が高いときに、最小透過率を呈する。中間調における透過率の変化率は、相対的に大きい。ノーマリーブラックモードのＶ−Ｔ特性は、ノーマリーホワイトモードの上記Ｖ−Ｔ特性と逆の変化を呈する。
【０１７２】
ソースバスラインを上記のように駆動することによって、例えば、特定色サブ画素以外の複数色のサブ画素（Ｒ，Ｇ，Ｂ）に対して、ノーマリーホワイトモードおよびノーマリーブラックモードのいずれにおいても、液晶印加電圧が低くなるようにソース信号を与えた場合に表れる色を背景として、特定色サブ画素（Ｗ）に対して、液晶印加電圧が高くなるようにソース信号を与えた場合の他の色によって、情報を表示した映像を提供することができる。
【０１７３】
より具体的には、ノーマリーホワイトモードの場合、サブ画素Ｒ，Ｇ，Ｂに白電圧が供給される結果、背景色は白になる。そして、特定色サブ画素Ｗに情報に対応する電圧を書き込めば、白地に灰色ないし黒の文字または画像を表示する、いわゆるモノクロ画像表示が可能になる。
【０１７４】
一方、ノーマリーブラックモードの場合、サブ画素Ｒ，Ｇ，Ｂに黒電圧が供給される結果、背景色は黒になる。そして、特定色サブ画素Ｗに情報に対応する電圧を書き込めば、黒地に灰色ないし白の文字または画像を表示することができ、ノーマリーホワイトモードの場合のモノクロ画像のネガ画像を表示することが可能になる。
【０１７５】
こうして、背景色を周期的または非周期的に書き換える（リフレッシュする）ことによって、非選択となるサブ画素にＤＣ成分が残るなどの問題を回避することができるので、低電力駆動モードにおける表示品位を高く保つことができる。
【０１７６】
（低電力駆動モードの実施形態３−３）
本実施形態３−３発明の表示装置では、図１５に示すように、上記ソースドライバ４は、上記ソース信号の極性を少なくともフレーム毎に反転させる交流駆動を行うとともに、上記特定色サブ画素（Ｗ）を含む水平ラインのみを順次選択するフレームを偶数フレーム続けた後、全ての水平ラインを選択するフレームを少なくとも１つ挿入する。
【０１７７】
より具体的には、特定色サブ画素（Ｗ）を含む水平ラインに対応するゲートバスライン（Ｇn+1、Ｇn+3、Ｇn+5など）のみを選択する偶数フレームとして、第ｋ＋１フレームから第ｋ＋ｊ−１フレームを続ける。それに加えて、第ｋ＋１フレームから第ｋ＋ｊ−１フレームでは、同一のサブ画素に書き込むソース信号の極性を、フレーム毎に反転させる。
【０１７８】
これにより、特定色サブ画素（Ｗ）を含む行に対して、正極性および負極性のソース信号の書き込みを交互にバランスよく行える。この結果、上記表示装置が特に液晶表示装置の場合、液晶にＤＣ成分が印加されなくなり、残像が生じる焼き付きの問題を招かずに済む。したがって、低電力駆動モードのフレーム間に、全ての水平ラインを選択するフレームを少なくとも１つ挿入する実施形態３−２によって達成される表示品位を、さらに向上させることが可能となる。
【０１７９】
（低電力駆動モードの実施形態３−４）
本実施形態３−４では、図１６に示すように、上記実施形態３−１〜３−３で説明した低電力駆動モードにおいて、上記ソースドライバ４は、上記全ての水平ラインを選択する上記フレームと、上記全ての水平ラインを選択するその次のフレームとでは、上記ソース信号の極性を反転させるようにしている。
【０１８０】
より具体的には、全ての水平ラインを選択する第ｋフレームと、全ての水平ラインを選択する次の第ｋ＋ｊフレームとで、同一サブ画素に書き込むソース信号の極性を反転させる。
【０１８１】
なお、図１６に示す表示駆動方法では、実施の形態１において図４を参照して説明したように、１画素を構成するサブ画素の行数（例えば２行）に対応して２水平期間毎に、ソース信号の極性を反転させている。したがって、例えばゲートバスラインＧnおよびＧn+1を駆動するときのソース信号の極性をプラスにし、その次に続くゲートバスラインＧn+2およびＧn+3を駆動するときのソース信号の極性をマイナスにしている。しかし、本実施形態３−４の主旨にとって、行ライン反転駆動の形態は限定されず任意でよい。
【０１８２】
これにより、上記表示装置が特に液晶表示装置の場合、液晶にＤＣ成分が印加されにくくなり、残像が生じる焼き付きの問題を招きにくくなる。したがって、上記実施形態３−１−Ａ〜３−３のそれぞれと本実施形態３−４とを組み合わせることによって、上記実施形態３−１−Ａ〜３−３で説明した低電力駆動モードによって改善される表示品位をさらに向上させることが可能となる。
【０１８３】
（低電力駆動モードの実施形態３−５）
本実施形態３−５では、図１７に示すように、上記全ての水平ラインを選択する上記フレームを偶数個連続させる。
【０１８４】
これにより、全ての水平ラインを選択する、偶数個連続するフレームにおいて、サブ画素に極性の異なるソース信号を書き込むことができる。しかも、極性の異なるソース信号の書き込みを短期間に行えるので、上記表示装置が特に液晶表示装置の場合、液晶にＤＣ成分が印加されにくくなり、残像が生じる焼き付きの問題を招きにくくなる。
【０１８５】
したがって、上記実施形態３−１−Ａ〜３−４で説明した低電力駆動モードにおいて全ての水平ラインを選択するフレームを、連続した偶数フレームに置き換えることによって、上記実施形態３−１−Ａ〜３−４によって改善される表示品位をさらに向上させることが可能となる。
【０１８６】
（低電力駆動モードの実施形態３−６）
本実施形態３−６の表示駆動方法は、実施形態３−１−Ａ〜３−４のそれぞれと実施形態３−５とを組み合わせた表示駆動方法の変形例であり、図１８に示すように、以下の(1)〜(3)の内容を有している。
(1)特定色サブ画素（Ｗ）を含むか否かによらず、全ての水平ラインを選択するフレームを偶数個連続させる第１の期間と、上記特定色サブ画素を含む水平ラインのみを順次選択する少なくとも１つのフレームが、上記第１の期間に続く第２の期間と、上記第２の期間に続いて、全ての水平ラインを選択するフレームを偶数個連続させる第３の期間とが、設けられている。
(2)上記ソースドライバ４は、上記第１の期間では、上記ソース信号の極性を少なくともフレーム毎に反転させる。
(3)上記第３の期間では、極性の反転が第１の期間とは逆になるように、上記ソース信号の極性を少なくともフレーム毎に反転させる。
【０１８７】
上記のように、第１の期間および第３の期間を設けることによって、全ての水平ラインに対する、正極性および負極性のソース信号の書き込みを、短期間のみならず長期間においても交互に繰り返すことができる。
【０１８８】
この結果、上記表示装置が特に液晶表示装置の場合、液晶にＤＣ成分が印加されにくくなり、残像が生じる焼き付きの問題を招きにくくなる。したがって、上記実施形態３−１−Ａ〜３−５のそれぞれによって得られる各効果をより一層向上させることができる。
【０１８９】
〔実施の形態４〕
本発明のさらに他の実施形態を図に基づいて説明する。なお、説明の便宜上、前記の実施形態の図面に示した部材と同一の機能を有する部材については、同一の符号を付し、その説明を省略する。
【０１９０】
本実施形態では、通常表示モードから低電力駆動モードへの移行を滑らかにする表示駆動方法について説明する。したがって、実施の形態４の各表示駆動方法は、前記実施の形態１〜３の低電力駆動モードを実現する表示駆動方法と組み合わせることができる。
【０１９１】
（駆動モード移行の実施形態４−１）
本実施形態４−１では、図１９に示すように、全ての水平ラインを選択する通常の駆動モード（フルカラー表示モード）から、上記特定色サブ画素（Ｗ）を含む水平ラインのみを選択する低電力駆動モードへ移行するときに、以下のように、表示モードに応じた移行用のフレームを挿入する。
【０１９２】
＊ノーマリーホワイトモードの場合
フルカラー表示モードの第ｎ−１フレームと、低電力駆動モードの第ｎ＋１フレームとの間に、上記表示画面を構成する全てのサブ画素に白電圧を書き込むフレームを少なくとも１つ挿入する。図１９は、このノーマリーホワイトモードの場合を示している。
【０１９３】
＊ノーマリーブラックモードの場合
フルカラー表示モードの第ｎ−１フレームと、低電力駆動モードの第ｎ＋１フレームとの間に、上記表示画面を構成する全てのサブ画素に黒電圧を書き込むフレームを少なくとも１つ挿入する。
【０１９４】
フルカラー表示モードから低電力駆動モードへと、駆動モードを切り替えるとき、図１９に示すように、外部駆動回路６（図２５参照）から駆動モード制御信号をソースドライバ４および共通電極駆動回路７に入力する。図１９では、駆動モード制御信号がローレベルのときに、フルカラー表示モードが設定され、駆動モード制御信号がハイレベルのときに、低電力駆動モードが設定されるとしているが、駆動モードの切り替え手法は特に問わない。
【０１９５】
例えば、ＳＰＩ(Ｓｅｒｉａｌ  Ｐｅｒｉｐｈｅｒａｌ  Ｉｎｔｅｒｆａｃｅ)またはＩ２Ｃ(Ｉｎｔｅｒ−Ｉｎｔｅｇｒａｔｅｄ  Ｃｉｒｃｕｉｔ)などによってレジスタを設定する手法でもよい。
【０１９６】
また、外部駆動回路６から、ゲートドライバ３およびソースドライバ４の両方に対して設定する必要はなく、例えばソースドライバ４のレジスタのみを設定し、ゲートドライバ３は、ソースドライバ４が出力する信号によって対応するようにしてもよい。この駆動モードの切り替えは、後述する実施形態４−２、４−３にも同様に適用される。
【０１９７】
上記の表示駆動方法によれば、フルカラー表示モードから低電力駆動モードへ移行するときに、ノーマリーホワイトモードおよびノーマリーブラックモードのいずれにおいても、上記表示画面を構成する全てのサブ画素の液晶印加電圧を低電圧に初期化するので、背景色を確定することができる。また、仮に、どれかのサブ画素に残像となるＤＣ成分が残っていたとしても、そのＤＣ成分を消去することができる。この結果、低電力駆動モードにおける表示品位を高く保つことができる。
【０１９８】
（駆動モード移行の実施形態４−２）
本実施形態４−２では、図２０に示すように、上記移行用のフレームの数を複数とし、上記ソースドライバ４は、挿入する複数のフレームについては、上記ソース信号の極性を少なくともフレーム毎に反転させる。
【０１９９】
例えば、ノーマリーホワイトモードの場合、フルカラー表示モードの第ｎ−１フレームと、低電力駆動モードの第ｎ＋２フレームとの間に、上記表示画面を構成する全てのサブ画素に白電圧を書き込む第ｎフレームおよび第ｎ＋１フレームを挿入するとともに、同一のサブ画素に書き込む第ｎフレームの白電圧の極性と、第ｎ＋１フレームの白電圧の極性とを反対にする。
【０２００】
なお、図２０に示す表示駆動方法では、実施の形態１において図４を参照して説明したように、１画素を構成するサブ画素の行数（例えば２行）に対応して２水平期間毎に、ソース信号の極性を反転させている。
【０２０１】
このように、挿入する複数のフレームについては、上記ソース信号の極性を少なくともフレーム毎に反転させるので、前記ＤＣ成分を消去する確実性を高めることができる。
【０２０２】
（駆動モード移行の実施形態４−３）
本実施形態４−３では、図２１に示すように、全ての水平ラインを選択する通常の駆動モードから、上記特定色サブ画素（Ｗ）を含む水平ラインのみを選択する低電力駆動モードへ移行するときに、非選択とする上記特定色サブ画素を含まない水平ラインの数を徐々に増やした複数のフレームを挿入する。なお、挿入するフレームでは、既に説明した低電力駆動モードと同じように、特定色サブ画素（ｗ）に白または黒の情報表示を行わせ、特定色サブ画素以外のサブ画素Ｒ，Ｇ，Ｂには黒または白の背景色を表示させるモノクロ表示を行うようにする。
【０２０３】
例えば、フルカラー表示モードの第ｎ−１フレームと、低電力駆動モードへ完全に移行し終えた第ｎ＋ｋフレームとの間に、非選択とする上記特定色サブ画素を含まない水平ラインの数を２，４，６と徐々に増やした第ｎフレーム、第ｎ＋１フレーム、第ｎ＋２フレームを挿入する。そして、最終的に挿入する第ｎ＋ｋ−１フレームでは、非選択とする全ての水平ラインの数が、前記（ｍ＋１）／２に到達している。
【０２０４】
通常の駆動モードのフレームに続く次のフレームで、通常の駆動モードを低電力駆動モードに切り換えると、表示の変化が瞬間的に発生する。これに対して、挿入するフレームの数を複数とする上記の表示駆動方法によれば、通常の駆動モードと低電力駆動モードとの間に、中間的な駆動モードのフレームを挿入するので、モード移行時の表示の変化が緩やかになる。この結果、モード移行時にユーザに違和感を与えない表示装置を提供することができる。
【０２０５】
なお、図２８，２９に示すゲートドライバ３の構成によれば、フルカラー表示モードの際はＧＯＥａとＧＯＥｂを交互にＬｏｗレベルとして、第１および第２ＡＮＤゲート４４１，４４２から出力部４５へ、順に走査する信号を受け渡していくが、移行期間においては、非走査期間としたい特定色サブ画素を含まない行に相当する期間の間は、ＧＯＥｂをＬｏｗレベルとせずにＨｉｇｈレベルのままとする。
【０２０６】
これによって、ＧＳＰｂやＧＣＫｂがゲートドライバ３に入力されて第１及び第２シフトレジスタ４２，４３が、フルカラー表示モード時と同様に動作しても、出力部へその信号が受け渡されないため、非走査期間としたい特定色サブ画素を含まない行を走査することはない。
【０２０７】
移行期間を終了して、低電力駆動モードになって後は、ゲートドライバ３に対してＧＳＰｂやＧＣＫｂもＨｉｇｈレベルかＬｏｗレベルの固定入力とすることで、第２シフトレジスタ４３の動作を停止させることができる。
【０２０８】
〔実施の形態５〕
本発明のさらに他の実施形態を図に基づいて説明する。なお、説明の便宜上、前記の実施形態の図面に示した部材と同一の機能を有する部材については、同一の符号を付し、その説明を省略する。
【０２０９】
本実施形態では、１画素を構成する各色のサブ画素の好ましい配置例について以下に説明する。
【０２１０】
（サブ画素の配置に関する実施形態５−１）
本実施形態５−１では、上記画素の１つが、２行２列の各色のサブ画素の配列によって構成されている場合に、絶対輝度比の相対的に高い色のサブ画素を対角的に配置する。
【０２１１】
より具体的には、図２２の（ａ）（ｂ）に示すように、１画素が４色のサブ画素Ｒ，Ｇ，Ｂ，Ｗによって、２行２列に配列されている場合に、絶対輝度比の相対的に高いサブ画素Ｇとサブ画素Ｗとを対角的に配置する。なお、絶対輝度比の相対的に低いサブ画素Ｒ，Ｂは、サブ画素Ｇ，Ｗと対称的かつ対角的に配置すればよく、サブ画素Ｒ，Ｂの位置を入れ替えても構わない。
【０２１２】
全てのフレームにおいて全ての水平ラインを走査する通常の駆動モードでは、絶対輝度比の高いサブ画素が同じ水平ラインに配置されていると、その水平ラインともう一方の絶対輝度比の低いサブ画素が配列された水平ラインとの輝度差が大きくなってしまう。
【０２１３】
したがって、上記のように、絶対輝度比の相対的に高い色（例えば、白色および緑色）のサブ画素を対角的に配置することによって、通常の駆動モードにおいて上記輝度差が発生するのを防止できる。この結果、表示の品位をより向上させた表示装置を提供することができる。
【０２１４】
（サブ画素の配置に関する実施形態５−２）
本実施形態５−２では、低電力駆動モードの表示品位を向上させることを優先させたサブ画素の配置例を説明する。すなわち、上記画素の１つが、２行２列の各色のサブ画素の配列によって構成されている場合に、上記特定色サブ画素（Ｗ）を含まない水平ラインに並ぶ複数のサブ画素を、絶対輝度比の相対的に低い色のサブ画素に設定する。
【０２１５】
より具体的には、図２３の（ａ）（ｂ）に示すように、１画素が４色のサブ画素Ｒ，Ｇ，Ｂ，Ｗによって、２行２列に配列されている場合に、サブ画素Ｗを含まない水平ラインには、絶対輝度比の相対的に低いサブ画素Ｒ，Ｂを配置する。なお、サブ画素Ｒ，Ｂの順序は入れ替わっても構わない。
【０２１６】
本発明の低電力駆動モードでは、特定色サブ画素を含まない水平ラインに配列されたサブ画素に、複数フレーム期間に渡り電圧が印加されないことがある。そうすると、非選択とされた水平ラインでは、印加電圧のリークによる輝度変動の発生が懸念される。
【０２１７】
したがって、特定色サブ画素を含まない水平ラインに、絶対輝度の低い色（例えば、赤色および青色）のサブ画素を配列する方が、低電力駆動モード時の表示品位の低下を防止することができる。
【０２１８】
なお、通常の駆動モードにおいて、絶対輝度比の高いサブ画素が配置された水平ラインと、絶対輝度比の低いサブ画素が配列された水平ラインとの輝度差が大きくなってしまうという実施形態５−１で説明した問題については、その輝度差の発生を考慮して、輝度差が生じないようにソース信号の電位を制御すればよい。
【０２１９】
なお、ＲＧＢＷの４つのサブ画素の面積比をほぼ同じとしているが、本発明はその面積比には特に制約を受けない。
【０２２０】
〔実施の形態６〕
本発明のさらに他の実施形態を図に基づいて説明する。なお、説明の便宜上、前記の実施形態の図面に示した部材と同一の機能を有する部材については、同一の符号を付し、その説明を省略する。
【０２２１】
本実施形態では、図２４に示すように、上記特定色サブ画素（Ｗ）を含まない水平ラインを非選択とする一方、特定色サブ画素を含む水平ラインを選択する領域は、上記表示画面の全体領域の一部としている。
【０２２２】
図２４では、表示画面の中央付近のみで、飛び越し走査を行う例を図示しているが、中央付近に限らず、上端の領域のみ、下端の領域のみ、あるいは、任意の複数の領域において、飛び越し走査を行うようにしてもよい。
【０２２３】
これにより、表示画面に表示するコンテンツとして、表示画面の一部領域のみにモノクロ表示を行う場合にも、その一部領域に本発明の低電力駆動モードを適用することによって、消費電力の低減を実現することが可能となる。
【０２２４】
なお、図２４に示す「通常表示領域」においても、全ての水平ラインを順次走査しながら、モノクロ表示を行っても構わない。
【０２２５】
本発明に係る上記表示装置の特徴点について、以下に補足する。
【０２２６】
本発明の表示装置では、上記ゲートドライバは、上記特定色サブ画素を含まない水平ラインを飛び越しながら、上記特定色サブ画素を含む水平ラインを順次選択してもよい。
【０２２７】
これにより、後述するように、上記非選択期間のあとに上記選択期間が続いている場合、選択期間の前の非選択期間からソース出力信号をソースバスラインに出力することができる。したがって、ソースドライバの駆動能力を低下させつつ、サブ画素への充電時間を長くして、充電を十分に行えるようにする、などのソースバスライン駆動との組み合わせによる電力低減効果を得ることが可能となる。
【０２２８】
本発明の表示装置では、上記ソースドライバは、上記特定色サブ画素を含まない水平ラインを非選択とする期間において、上記ソース信号の出力能力を低下させる、または上記ソース信号を上記サブ画素に供給するソース信号出力回路からの出力を停止することを特徴とする。
【０２２９】
これにより、ゲートドライバの消費電力を低減できる効果に加えて、ソースドライバの消費電力を低減できる効果を得ることができるので、表示装置全体として大幅な消費電力の低減効果を得ることができる。
【０２３０】
本発明の表示装置では、
(5)上記ゲートドライバは、上記特定色サブ画素を含まない水平ラインを飛び越しながら、上記特定色サブ画素を含む水平ラインを順次選択し、
(6)上記ソースドライバは、特定色サブ画素を含む水平ラインを選択する水平期間の前に、特定色サブ画素を含まない水平ラインを選択しない非選択期間が連続している場合に、当該非選択期間から、上記ソース信号の供給を開始し、かつ、
(7)上記ソース信号を上記サブ画素に供給するソース信号出力回路の出力能力を低下させること、
を特徴とする。
【０２３１】
上記の構成によれば、ソース信号出力回路の出力能力を低下させることによって、ソースドライバの消費電力をさらに低減することができる。
【０２３２】
また、ゲートドライバは、飛び越し走査を行うので、特定色サブ画素を含む水平ラインを選択する水平期間の前に、特定色サブ画素を含まない水平ラインを選択しない非選択期間が連続している場合が必ず存在する。
【０２３３】
ソースドライバは、この非選択期間からソース信号の供給を開始するので、ソース信号出力回路の出力能力を低下させても、サブ画素を十分に充電することができる。
【０２３４】
なお、上記(6)(7)の制御を特定色サブ画素を含まない列に対しても行うかどうかは、本発明の低電力の効果を達成する特徴にとって必須ではない。ただし、特定色サブ画素を含まない列（＝背景色の主体）に対しても同じ駆動手法を用いる方が、消費電力低減の効果が大きくなる。
【０２３５】
本発明の表示装置は、上記サブ画素の全てに共通電位を供給するコモンドライバをさらに備え、上記コモンドライバは、上記ソース信号の極性を所定の水平期間毎に反転させるタイミングに応じたコモン反転駆動を行うとともに、上記共通電位を出力するコモン出力回路の出力能力を低下させることを特徴とする。
【０２３６】
上記の構成によれば、コモン出力回路の出力能力を低下させるので、コモンドライバの消費電力を低減することができ、結果として、表示装置の消費電力を低減することができる。また、ソース信号出力回路の出力能力を低下させる構成と組み合わせた場合には、表示装置全体の消費電力を大幅に低減することができる。
【０２３７】
本発明の表示装置では、
(8)上記ゲートドライバは、上記特定色サブ画素を含まない水平ラインを飛び越しながら、上記特定色サブ画素を含む水平ラインを順次選択し、
(9)上記ソースドライバは、少なくとも上記特定色サブ画素を含む列に対しては、特定色サブ画素を含む水平ラインを選択する水平期間の前に、特定色サブ画素を含まない水平ラインを選択しない非選択期間が連続している場合に、当該非選択期間から、上記ソース信号の供給を開始するとともに、
(10)上記ソース信号の電位が所定のレベルに到達した後、当該ソース信号を上記サブ画素に供給するソース信号出力回路の出力能力を低下させる、またはソース信号出力回路の出力を停止することを特徴とする。
【０２３８】
上記の構成によれば、既に説明したとおり、表示装置全体の消費電力を大幅に低減することができる。その上、ソース信号出力回路の出力能力を低下させる、または出力を停止するタイミングを、ソース信号の電位が所定のレベルに到達した後に設定したので、消費電力を減らしながらも、画素の充電が不足するおそれを軽減することができる。
【０２３９】
本発明の表示装置では、上記ソース信号出力回路の上記出力能力を低下させる、または上記出力を停止するタイミングを、上記特定色サブ画素を含む水平ラインを選択するためのゲート信号が立ち上がって以降、立ち下がるまでの間に設定することを特徴とする。
【０２４０】
これにより、ソース信号出力回路の出力能力を低下させる、または出力を停止するタイミングを、ソース信号の電位が所定のレベルに到達した後に設定できる確実性を高めることができ、サブ画素の充電が不足するおそれを一層軽減することができる。
【０２４１】
本発明の表示装置では、上記ゲートドライバは、上記特定色サブ画素を含まない水平ラインを飛び越しながら、上記特定色サブ画素を含む水平ラインを順次選択し、
上記ソースドライバは、上記ソース信号の極性を、所定の水平期間毎に反転させ、かつ、上記特定色サブ画素を含まない水平ラインを非選択とする非選択期間に、上記ソース信号を供給する偶数本のソースバスラインのうち、充電電位が異なる２本以上の偶数本のソースバスラインを接続することを特徴とする。
【０２４２】
上記の構成によれば、ソースドライバが、上記のようにソース信号の極性を制御しながら、ソースバスラインを駆動する場合に、充電電位が、共通電位に対して異なる電位に充電される２本以上の偶数本のソースバスラインを、上記非選択期間に接続して短絡させると、高い電位と低い電位とが相殺し合うため、非選択期間では、互いに接続したソースバスラインの電位が、両電位の中間の電位まで充電または放電される。
【０２４３】
その後、選択期間では、ソースドライバからの出力によって、上記ソースバスラインの電位が、再び所望の電位まで充電される。
【０２４４】
これによって、実質的にソースドライバの負荷が軽くなるので、低消費電力化を実現できる。
【０２４５】
なお、高い電位および低い電位に充電されているソースバスラインのバランスが取れる偶数本でありさえすれば、隣り合う２本のソースバスラインに限らず、全ソースバスラインから任意のソースバスラインを接続してもよい。
【０２４６】
また、ソースバスライン同士を接続する期間は、非選択期間全体ではなく、その一部の期間であってもよい。
【０２４７】
本発明の表示装置では、上記ゲートドライバは、上記特定色サブ画素を含む水平ラインを選択する上記ゲート信号のオン時間を、上記水平ラインの１水平期間前および１水平期間後に非選択とする水平ラインの水平期間のうち、少なくとも１水平期間前に非選択とする水平ラインの水平期間にオーバーラップするように長くすることを特徴とする。
【０２４８】
これにより、サブ画素への充電期間を長く取ることが可能となるため、ソースドライバのソース信号出力回路の出力能力を低減ができる効果が生まれる。
【０２４９】
また、上記の構成を、先に説明した「充電電位が異なる２本以上の偶数本のソースバスラインを接続する」構成と組み合わせると、接続したソースバスライン同士での充電または放電の効果に加えて、接続したソースバスラインに対応するサブ画素に印加された電圧同士も充電または放電し合うことが可能となる。
【０２５０】
この結果、ソースドライバの負荷がさらに軽くなるので、一層の低消費電力化を実現できる。
【０２５１】
本発明の表示装置では、上記ゲートドライバは、１垂直期間において、上記特定色サブ画素を含む全ての水平ラインを、１水平期間毎に連続して選択することを特徴とする。
【０２５２】
上記の構成によれば、１垂直期間（１フレーム）において、上記特定色サブ画素を含む全ての水平ラインを、１水平期間毎に連続して選択するので、前記のように特定色サブ画素を含まない水平ラインを非選択とする分、１フレーム中に、ゲートドライバの動作を休止させる期間を設けることができる。
【０２５３】
例えば、特定色サブ画素を含む水平ラインの数と含まない水平ラインの数とが同程度であれば、ゲートドライバが動作する選択期間は、１フレームの約半分となり、残りの半分の期間は休止期間となる。
【０２５４】
この結果、ゲートドライバが全てのゲートバスラインを順番に駆動する通常の表示モードに比べて、上記休止期間の分、消費電力を低減した低電力駆動モードを実現することができる。
【０２５５】
本発明の表示装置では、上記ソースドライバは、１垂直期間において、上記特定色サブ画素を含む水平ラインを選択しない非選択期間では、上記ソース信号の出力能力を低下させること、またはソース信号出力回路からの出力を停止することを特徴とする。
【０２５６】
これにより、ゲートドライバの消費電力を低減できるという前述した効果に加えて、ソースドライバの消費電力を低減できる効果を得ることができる。
【０２５７】
本発明の表示装置では、上記特定色サブ画素を含むか否かによらず、全ての水平ラインを選択するフレームを、周期的または非周期的に挿入することを特徴とする。
【０２５８】
既に説明したように、本発明の表示装置は、ゲートドライバの走査時に、上記特定色サブ画素を含まない水平ラインを非選択とすることで、低消費電力を実現する。しかし、画素に対して信号を何も書き込まない状態が続くと、液晶の信頼性が低下する問題が生じるおそれが考えられる。
【０２５９】
そこで、数フレームに一度、全水平ライン、あるいは、少なくとも上記特定色サブ画素を含まない水平ラインの全てを選択し、何らかの信号を書き込むことによって、液晶の信頼性が低下する問題を回避することができる。
【０２６０】
本発明の表示装置では、複数のフレームを、周期的または非周期的に挿入し、上記複数のフレームのそれぞれにおいては、上記特定色サブ画素を含む水平ラインを順次選択する一方、上記特定色サブ画素を含まない水平ラインの一部を選択するとともに、上記複数のフレームの全体で、上記特定色サブ画素を含まない水平ラインの全部が選択されるようになっていてもよい。
【０２６１】
これにより、上記と同様に、液晶の信頼性が低下する問題を回避することができる。
【０２６２】
なお、上記複数のフレームにおいて、上記特定色サブ画素を含まない水平ラインの一部をどのような順番で選択するかは任意であり、水平ラインの一部としてのライン数を同じに揃える必要も無い。また、複数のフレームの数にも制限は無い。
【０２６３】
本発明の表示装置では、上記ソースドライバは、全ての水平ラインを選択する上記フレームにおいて、上記特定色サブ画素以外のサブ画素に供給するソース信号について、ノーマリーホワイトモードの場合には、白電圧のソース信号を供給する一方、ノーマリーブラックモードの場合には、黒電圧のソース信号を供給することを特徴とする。
【０２６４】
本発明が実現する低電力駆動モードでは、例えば、特定色サブ画素以外の複数色のサブ画素に対して、ノーマリーホワイトモードおよびノーマリーブラックモードのいずれにおいても、ローレベルのソース信号を与えた場合に表れる色を背景として、特定色サブ画素に対して、ハイレベルのソース信号を与えた場合に表れる他の色によって、情報を表示した映像を提供することができる。
【０２６５】
したがって、背景色を周期的または非周期的に書き換えることによって、低電力駆動モードにおける表示品位を高く保つことができる。
【０２６６】
本発明の表示装置では、上記ソースドライバは、上記ソース信号の極性を少なくともフレーム毎に反転させる交流駆動を行うとともに、上記特定色サブ画素を含む水平ラインのみを順次選択するフレームを偶数フレーム続けた後、上記全ての水平ラインを選択する上記フレームを少なくとも１つ挿入することを特徴とする。
【０２６７】
これにより、特定色サブ画素を含む行に対して、正極性および負極性のソース信号の書き込みを交互にバランスよく行える。この結果、上記表示装置が特に液晶表示装置の場合、液晶にＤＣ成分が印加されなくなり、残像が生じる焼き付きの問題を招くことなく、一層高品位の表示を行うことが可能となる。
【０２６８】
本発明の表示装置では、上記ソースドライバは、上記全ての水平ラインを選択する上記フレームと、上記全ての水平ラインを選択するその次のフレームとでは、上記ソース信号の極性を反転させることを特徴とする。
【０２６９】
これにより、上記表示装置が特に液晶表示装置の場合、液晶にＤＣ成分が印加されにくくなり、残像が生じる焼き付きの問題を招くことなく高品位の表示を行うことが可能となる。
【０２７０】
本発明の表示装置では、上記全ての水平ラインを選択する上記フレームを偶数個連続させることを特徴とする。
【０２７１】
これにより、全ての水平ラインを選択する、偶数個連続するフレームにおいて、サブ画素に極性の異なるソース信号を書き込むことができる。しかも、極性の異なるソース信号の書き込みを短期間に行えるので、上記表示装置が特に液晶表示装置の場合、液晶にＤＣ成分が印加されにくくなり、残像が生じる焼き付きの問題を招きにくくなるという効果を向上させることができる。
【０２７２】
本発明の表示装置では、
(12)上記特定色サブ画素を含むか否かによらず、全ての水平ラインを選択するフレームを偶数個連続させる第１の期間と、上記特定色サブ画素を含む水平ラインのみを順次選択する少なくとも１つのフレームが、上記第１の期間に続く第２の期間と、上記第２の期間に続いて、全ての水平ラインを選択するフレームを偶数個連続させる第３の期間とを設け、
(13)上記ソースドライバは、上記第１の期間では、上記ソース信号の極性を少なくともフレーム毎に反転させ、
(14)上記第３の期間では、極性の反転が第１の期間とは逆になるように、上記ソース信号の極性を少なくともフレーム毎に反転させることを特徴とする。
【０２７３】
上記のように、第１の期間および第３の期間を設けることによって、全ての水平ラインに対する、正極性および負極性のソース信号の書き込みを、短期間のみならず長期間においても交互に繰り返すことができる。
【０２７４】
この結果、上記表示装置が特に液晶表示装置の場合、液晶にＤＣ成分が印加されにくくなり、残像が生じる焼き付きの問題を招きにくくなるという効果をより一層向上させることができる。
【０２７５】
本発明の表示装置では、全ての水平ラインを選択する通常の駆動モードから、上記特定色サブ画素を含む水平ラインのみを選択する低電力駆動モードへ移行するときに、
(15)ノーマリーホワイトモードの場合には、上記表示画面を構成する全てのサブ画素に白電圧を書き込むフレームを少なくとも１つ挿入する一方、
(16)ノーマリーブラックモードの場合には、上記表示画面を構成する全てのサブ画素に黒電圧を書き込むフレームを少なくとも１つ挿入することを特徴とする。
【０２７６】
上記の構成によれば、通常の駆動モードから低電力駆動モードへ移行するときに、ノーマリーホワイトモードおよびノーマリーブラックモードのいずれにおいても、駆動対象とする全てのサブ画素の電位をローレベルに初期化するので、背景色を確定することができる。また、仮に、どれかのサブ画素に残像となるＤＣ成分が残っていたとしても、そのＤＣ成分を消去することができる。
【０２７７】
この結果、低電力駆動モードにおける表示品位を高く保つことができる。
【０２７８】
本発明の表示装置では、上記挿入するフレームの数を複数とし、上記ソースドライバは、挿入する複数のフレームについては、上記ソース信号の極性を少なくともフレーム毎に反転させることを特徴とする。
【０２７９】
このように、挿入する複数のフレームについては、上記ソース信号の極性を少なくともフレーム毎に反転させるので、前記ＤＣ成分を消去する確実性を高めることができる。
【０２８０】
本発明の表示装置では、全ての水平ラインを選択する通常の駆動モードから、上記特定色サブ画素を含む水平ラインのみを選択する低電力駆動モードへ移行するときに、非選択とする上記特定色サブ画素を含まない水平ラインの数を徐々に増やした複数のフレームを挿入することを特徴とする。
【０２８１】
通常の駆動モードのフレームに続く次のフレームで、通常の駆動モードを低電力駆動モードに切り換えると、表示の変化が瞬間的に発生する。これに対して、上記の構成によれば、通常の駆動モードと低電力駆動モードとの間に、中間的な駆動モードのフレームを挿入するので、モード移行時の表示の変化が緩やかになる。この結果、モード移行時にユーザに違和感を与えない表示装置を提供することができる。
【０２８２】
本発明の表示装置では、上記画素の１つが、２行２列の上記サブ画素の配列によって構成され、かつ、絶対輝度比の相対的に高い色のサブ画素を対角的に配置したことを特徴とする。
【０２８３】
全てのフレームにおいて全ての水平ラインを走査する通常駆動モードでは、絶対輝度比の高いサブ画素が同じ水平ラインに配置されていると、その水平ラインともう一方の絶対輝度比の低いサブ画素が配列された水平ラインとの輝度差が大きくなってしまう。
【０２８４】
したがって、上記のように、絶対輝度比の相対的に高い色（例えば、白色および緑色）のサブ画素を対角的に配置することによって、通常駆動モード時に上記輝度差が発生するのを防止できる。
【０２８５】
本発明の表示装置では、上記画素の１つが、２行２列の上記サブ画素の配列によって構成され、かつ、上記特定色サブ画素を含まない水平ラインに並ぶ複数のサブ画素を、絶対輝度比の相対的に低い色のサブ画素にしたことを特徴とする。
【０２８６】
本発明の低電力駆動モードでは、特定色サブ画素を含まない水平ラインに配列されたサブ画素に、複数フレーム期間に渡り電圧が印加されないことがある。そうすると、非選択とされた水平ラインでは、印加電圧のリークによる輝度変動の発生が懸念される。
【０２８７】
したがって、特定色サブ画素を含まない水平ラインに、絶対輝度の低い色（例えば、赤色および青色）のサブ画素を配列する方が、低電力駆動モード時の表示品位の低下を防止することができる。
【０２８８】
本発明の表示装置では、上記特定色サブ画素を含まない水平ラインを非選択とする一方、特定色サブ画素を含む水平ラインを選択する領域は、上記表示画面の全体領域の一部であることを特徴とする。
【０２８９】
これにより、表示画面に表示するコンテンツとして、画面の一部領域のみにモノクロ表示を行う場合にも、その一部領域に本発明の低電力駆動モードを適用することによって、消費電力の低減を実現することが可能となる。
【０２９０】
また、本発明に係る上記表示駆動方法の特徴点について、以下に補足する。
【０２９１】
本発明の表示駆動方法では、特定色サブ画素を含まない水平ラインを選択しない非選択期間において、列方向に配列された上記サブ画素に対して供給されるソース信号の出力能力を低下させる、または上記ソース信号を上記サブ画素に供給するソース信号出力回路からの出力を停止することを特徴とする。
【０２９２】
これにより、ゲートドライバの消費電力を低減できる効果に加えて、ソースドライバの消費電力を低減できる効果を得ることができるので、表示装置全体の大幅な低電力化を実現することができる。
【０２９３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２９４】
本発明は、複数の基本色を組み合わせて１つの色を表示する画素を２次元的に配列した表示画面を備えた表示装置と、その表示駆動方法とに適用することができる。
【符号の説明】
【０２９５】
３    ゲートドライバ
４    ソースドライバ
４ａ  オペアンプ（ソース信号出力回路）
６    外部駆動回路
７    共通電極駆動回路（コモンドライバ）
Ｒ，Ｇ，Ｂ，  サブ画素（特定色サブ画素以外のサブ画素）
Ｗ  サブ画素（特定色サブ画素）
Ｇn  ゲートバスライン
Ｓm  ソースバスライン
【図１】
2011114583.tif 000003
【図２】
2011114583.tif 000004
【図３】
2011114583.tif 000005
【図４】
2011114583.tif 000006
【図５】
2011114583.tif 000007
【図６】
2011114583.tif 000008
【図７】
2011114583.tif 000009
【図８】
2011114583.tif 000010
【図９】
2011114583.tif 000011
【図１０】
2011114583.tif 000012
【図１１】
2011114583.tif 000013
【図１２】
2011114583.tif 000014
【図１３】
2011114583.tif 000015
【図１４】
2011114583.tif 000016
【図１５】
2011114583.tif 000017
【図１６】
2011114583.tif 000018
【図１７】
2011114583.tif 000019
【図１８】
2011114583.tif 000020
【図１９】
2011114583.tif 000021
【図２０】
2011114583.tif 000022
【図２１】
2011114583.tif 000023
【図２２】
2011114583.tif 000024
【図２３】
2011114583.tif 000025
【図２４】
2011114583.tif 000026
【図２５】
2011114583.tif 000027
【図２６】
2011114583.tif 000028
【図２７】
2011114583.tif 000029
【図２８】
2011114583.tif 000030
【図２９】
2011114583.tif 000031
【図３０】
2011114583.tif 000032
【図３１】
2011114583.tif 000033
【手続補正書】
【提出日】平成24年8月29日(2012.8.29)
【手続補正１】
【補正対象書類名】特許請求の範囲
【補正対象項目名】全文
【補正方法】変更
【補正の内容】
【特許請求の範囲】
【請求項１】
複数色の組み合わせにより所望の色を表示するように、複数色に対応したサブ画素の少なくとも２行２列の配列によって構成された各画素を２次元的に配置した表示画面と、
列方向に配列された上記サブ画素に対してソース信号を供給するソースバスラインを駆動するソースドライバと、
行方向に配列されたサブ画素を選択するゲート信号を供給するゲートバスラインを駆動するゲートドライバとを備え、
上記サブ画素が行方向に配列された水平ラインを、上記ゲートドライバが走査するときに、上記サブ画素のうち、駆動したい同一色のサブ画素を特定色サブ画素とし、その特定色サブ画素を含む水平ラインを選択する一方、特定色サブ画素を含まない水平ラインを非選択とするように、上記ゲートドライバが上記ゲートバスラインを駆動すること
を特徴とする表示装置。
【請求項２】
上記ゲートドライバは、上記特定色サブ画素を含まない水平ラインを飛び越しながら、上記特定色サブ画素を含む水平ラインを順次選択すること
を特徴とする請求項１に記載の表示装置。
【請求項３】
上記ソースドライバは、上記特定色サブ画素を含まない水平ラインを非選択とする期間において、上記ソース信号の出力能力を低下させる、または上記ソース信号を上記サブ画素に供給するソース信号出力回路からの出力を停止すること
を特徴とする請求項１または２に記載の表示装置。
【請求項４】
上記ゲートドライバは、上記特定色サブ画素を含まない水平ラインを飛び越しながら、上記特定色サブ画素を含む水平ラインを順次選択し、
上記ソースドライバは、
少なくとも上記特定色サブ画素を含む列に対しては、特定色サブ画素を含む水平ラインを選択する水平期間の前に、特定色サブ画素を含まない水平ラインを選択しない非選択期間が連続している場合に、当該非選択期間から、上記ソース信号の供給を開始し、かつ、
上記ソース信号を上記サブ画素に供給するソース信号出力回路の出力能力を低下させること
を特徴とする請求項１または２に記載の表示装置。
【請求項５】
上記サブ画素の全てに共通電位を供給するコモンドライバをさらに備え、
上記コモンドライバは、上記ソース信号の極性を所定の水平期間毎に反転させるタイミングに応じたコモン反転駆動を行うとともに、上記共通電位を出力するコモン出力回路の出力能力を低下させること
を特徴とする請求項１から３のいずれか１項に記載の表示装置。
【請求項６】
上記ゲートドライバは、上記特定色サブ画素を含まない水平ラインを飛び越しながら、上記特定色サブ画素を含む水平ラインを順次選択し、
上記ソースドライバは、
少なくとも上記特定色サブ画素を含む列に対しては、特定色サブ画素を含む水平ラインを選択する水平期間の前に、特定色サブ画素を含まない水平ラインを選択しない非選択期間が連続している場合に、当該非選択期間から、上記ソース信号の供給を開始するとともに、
上記ソース信号の電位が所定のレベルに到達した後、当該ソース信号を上記サブ画素に供給するソース信号出力回路の出力能力を低下させる、またはソース信号出力回路の出力を停止すること
を特徴とする請求項１または２に記載の表示装置。
【請求項７】
上記ゲートドライバは、上記特定色サブ画素を含まない水平ラインを飛び越しながら、上記特定色サブ画素を含む水平ラインを順次選択し、
上記ソースドライバは、
上記ソース信号の極性を、所定の水平期間毎に反転させ、かつ、上記特定色サブ画素を含まない水平ラインを非選択とする非選択期間に、上記ソース信号を供給する偶数本のソースバスラインのうち、充電電位が異なる２本以上の偶数本のソースバスラインを接続すること
を特徴とする請求項１に記載の表示装置。
【請求項８】
上記ゲートドライバは、
上記特定色サブ画素を含む水平ラインを選択する上記ゲート信号のオン時間を、上記水平ラインの１水平期間前および１水平期間後に非選択とする水平ラインの水平期間のうち、少なくとも１水平期間前に非選択とする水平ラインの水平期間にオーバーラップするように長くすること
を特徴とする請求項１から７のいずれか１項に記載の表示装置。
【請求項９】
上記ゲートドライバは、
１垂直期間において、上記特定色サブ画素を含む全ての水平ラインを、１水平期間毎に連続して選択すること
を特徴とする請求項１に記載の表示装置。
【請求項１０】
上記特定色サブ画素を含むか否かによらず、全ての水平ラインを選択するフレームを、周期的または非周期的に挿入すること
を特徴とする請求項１から９のいずれか１項に記載の表示装置。
【請求項１１】
複数のフレームを、周期的または非周期的に挿入し、
上記複数のフレームのそれぞれにおいては、上記特定色サブ画素を含む水平ラインを順次選択する一方、上記特定色サブ画素を含まない水平ラインの一部を選択するとともに、上記複数のフレームの全体で、上記特定色サブ画素を含まない水平ラインの全部が選択されるようになっていること
を特徴とする請求項１から９のいずれか１項に記載の表示装置。
【請求項１２】
全ての水平ラインを選択する通常の駆動モードから、上記特定色サブ画素を含む水平ラインのみを選択する低電力駆動モードへ移行するときに、
ノーマリーホワイトモードの場合には、上記表示画面を構成する全てのサブ画素に白電圧を書き込むフレームを少なくとも１つ挿入する一方、
ノーマリーブラックモードの場合には、上記表示画面を構成する全てのサブ画素に黒電圧を書き込むフレームを少なくとも１つ挿入すること
を特徴とする請求項１から１１のいずれか１項に記載の表示装置。
【請求項１３】
全ての水平ラインを選択する通常の駆動モードから、上記特定色サブ画素を含む水平ラインのみを選択する低電力駆動モードへ移行するときに、
非選択とする上記特定色サブ画素を含まない水平ラインの数を徐々に増やした複数のフレームを挿入すること
を特徴とする請求項１から１２のいずれか１項に記載の表示装置。
【請求項１４】
上記画素の１つが、２行２列の上記サブ画素の配列によって構成され、かつ、
絶対輝度比の相対的に高い色のサブ画素を対角的に配置したこと
を特徴とする請求項１から１３のいずれか１項に記載の表示装置。
【請求項１５】
複数の画素が表示画面に２次元的に配列された表示装置であって、上記複数の画素の１画素が、複数色の組み合わせにより所望の色を表示するように、当該複数色に対応したサブ画素の少なくとも２行２列の配列によって構成された表示装置の駆動方法において、
上記サブ画素が行方向に配列された水平ラインを走査するときに、上記サブ画素のうち、駆動したい同一色のサブ画素を特定色サブ画素とし、その特定色サブ画素を含む水平ラインを選択する一方、特定色サブ画素を含まない水平ラインを非選択とすること
を特徴とする表示駆動方法。
【国際調査報告】
2011114583.tif 000034
2011114583.tif 000035
2011114583.tif 000036
2011114583.tif 000037